(57)【要約】      （修正有）【課題】無線デバイスにサービスを提供するのと同じエアインタフェースを用いてアクセスポイント間で通信するのを容易にするシステム及び方法を提供する。【解決手段】アクセスポイントは、アクセスポイント間で交渉すること及び／又はリソースを割り当てることに関する干渉管理メッセージ又はその他のメッセージをやり取りするためにエアインタフェースを通じて互いに通信する。さらに、アクセスポイントは、サービスが提供された無線デバイスによる混乱又は無線リンク失敗検出を軽減するために、エアインタフェースを通じて異種のアクセスポイントと通信する期間に関してそれらのサービスが提供された無線デバイスを準備することができる。【選択図】図６
2014195301.tif 000002
【特許請求の範囲】
【請求項１】
方法であって、
エアインタフェースを通じて１つ以上のＵＥと通信することと、
前記エアインタフェースを通じて１つ以上のｅＮＢと通信すること、とを備える、方法。
【請求項２】
前記エアインタフェースを通じて前記１つ以上のｅＮＢと前記通信することは、前記エアインタフェースを通じて前記１つ以上のｅＮＢと１つ以上の干渉管理メッセージをやり取りすることを備える請求項１に記載の方法。
【請求項３】
前記１つ以上の干渉管理メッセージを前記やり取りすることは、前記１つ以上のＵＥと通信するために前記エアインタフェースを通じて前記１つ以上のｅＮＢにブランキングを要求すること又は前記エアインタフェースを通じて前記１つ以上のｅＮＢによってブランキングされた一組のリソースの指示を受信することを含む請求項２に記載の方法。
【請求項４】
前記１つ以上のｅＮＢに関する１つ以上のパラメータに少なくとも部分的に基づいて前記１つ以上のｅＮＢと前記１つ以上の干渉管理メッセージをやり取りすることを決定することをさらに備える請求項２に記載の方法。
【請求項５】
前記１つ以上のパラメータは、前記１つ以上のｅＮＢの識別子、前記１つ以上のｅＮＢの割り当てられた優先度、前記１つ以上のｅＮＢのタイプ、又は前記１つ以上のｅＮＢに対する通信負荷を含む請求項４に記載の方法。
【請求項６】
前記１つ以上の干渉管理メッセージを前記やり取りすることは、前記エアインタフェースを通じて前記１つ以上のｅＮＢからブランキング要求を受信することを含む請求項２に記載の方法。
【請求項７】
前記１つ以上の干渉管理メッセージに少なくとも部分的に基づいて一組のブランキングされたリソースでの送信をブランキングすることをさらに備える請求項２に記載の方法。
【請求項８】
前記エアインタフェースを通じて前記１つ以上のｅＮＢと前記１つ以上の干渉管理メッセージをやり取りすることに応答して前記エアインタフェースを通じて前記１つ以上のｅＮＢにブランキングされたリソースの前記組の指示を提供することをさらに備える請求項７に記載の方法。
【請求項９】
異種のＵＥのバッファレベルに少なくとも部分的に基づいてブランキングされたリソースの前記組を決定することをさらに備え、前記エアインタフェースを通じて前記１つ以上のｅＮＢと前記１つ以上の干渉管理メッセージを前記やり取りすることは、前記エアインタフェースを通じて前記１つ以上のｅＮＢから前記異種のＵＥの前記バッファレベルを受信することをさらに備える請求項８に記載の方法。
【請求項１０】
前記１つ以上のｅＮＢの割り当てられた優先度に少なくとも部分的に基づいてブランキングされたリソースの前記組及び１つ以上の異種のｅＮＢに関するブランキングのための異種の一組のリソースを決定することをさらに備え、前記エアインタフェースを通じて前記１つ以上のｅＮＢと前記１つ以上の干渉管理メッセージを前記やり取りすることは、前記エアインタフェースを通じて前記１つ以上のｅＮＢから前記１つ以上のｅＮＢの前記割り当てられた優先度を受信することをさらに備える請求項８に記載の方法。
【請求項１１】
前記エアインタフェースを通じての前記１つ以上のｅＮＢに対する１つ以上の異種のｅＮＢの干渉に関する１つ以上のパラメータに少なくとも部分的に基づいてブランキングされたリソースの前記組を決定することをさらに備え、前記エアインタフェースを通じて前記１つ以上のｅＮＢと前記１つ以上の干渉管理メッセージを前記やり取りすることは、前記干渉に関する前記１つ以上のパラメータを受信することをさらに備える請求項８に記載の方法。  
【請求項１２】
前記エアインタフェースを通じて前記１つ以上のｅＮＢと前記１つ以上の干渉管理メッセージを前記やり取りすることは、前記エアインタフェースを通じて前記１つ以上のｅＮＢに識別子、タイプ、又は通信負荷を提供することを含む請求項２に記載の方法。  
【請求項１３】
前記１つ以上のｅＮＢと前記通信することは、前記１つ以上のｅＮＢの共配置されたＵＥと通信することを含む請求項1に記載の方法。
【請求項１４】
前記１つ以上のｅＮＢと前記通信することは、前記共配置されたＵＥからリソース割り当て要求を受信することを含む請求項１３に記載の方法。
【請求項１５】
前記エアインタフェースを通じて前記１つ以上のｅＮＢと前記通信することは、共配置されたＵＥを用いて前記１つ以上のｅＮＢと通信することを含む請求項１に記載の方法。
【請求項１６】
前記共配置されたＵＥを用いて前記１つ以上のｅＮＢと前記通信することは、前記共配置されたＵＥを用いて前記１つ以上のｅＮＢにリソース割り当てを要求することを含む請求項１５に記載の方法。
【請求項１７】
前記エアインタフェースを通じて前記１つ以上のｅＮＢと前記通信することは、前記エアインタフェースを通じて前記１つ以上のＵＥと通信することに関するバッファレベルを前記１つ以上のｅＮＢに送信することをさらに備える請求項１に記載の方法。
【請求項１８】
前記エアインタフェースを通じて前記１つ以上のｅＮＢと前記通信することは、前記エアインタフェースを通じて１つ以上の異種のｅＮＢからの干渉に関する１つ以上のパラメータを前記１つ以上のｅＮＢに提供することを備える請求項１に記載の方法。
【請求項１９】
前記エアインタフェースを通じて前記１つ以上のｅＮＢと前記通信することは、前記エアインタフェースを通じて前記１つ以上のｅＮＢに割り当てられた優先度を提供することを備える請求項１に記載の方法。
【請求項２０】
前記エアインタフェースを通じて前記１つ以上のＵＥと前記通信することは、
前記１つ以上のｅＮＢと通信することに関する測定ギャップを前記１つ以上のＵＥに示すことを備える請求項１に記載の方法。
【請求項２１】
前記エアインタフェースを通じて前記１つ以上のＵＥと前記通信することは、前記１つ以上のｅＮＢと通信するときに不連続受信モードに入るように前記１つ以上のＵＥにシグナリングすることを備える請求項１に記載の方法。
【請求項２２】
前記１つ以上のｅＮＢと通信する前に前記１つ以上のＵＥへの送信電力をフェージングすることをさらに備える請求項１に記載の方法。
【請求項２３】
前記エアインタフェースを通じて前記１つ以上のＵＥと前記通信することは、前記１つ以上のｅＮＢと通信する前に前記１つ以上のＵＥに１つ以上の無線リンク失敗タイマを提供することを備える請求項１に記載の方法。
【請求項２４】
前記エアインタフェースを通じて前記１つ以上のＵＥと前記通信することは、前記１つ以上のｅＮＢと通信することに関する期間又は時間間隔に関する１つ以上のパラメータを示すことを備える請求項１に記載の方法。
【請求項２５】
有線バックホールリンクをさらに通じて前記１つ以上のｅＮＢと通信することをさらに備える請求項１に記載の方法。
【請求項２６】
無線通信装置であって、
エアインタフェースを通じて１つ以上のＵＥに１つ以上のデータ信号を送信し、及び、
前記エアインタフェースを通じて１つ以上のｅＮＢと通信するように構成された少なくとも１つのプロセッサと、
前記少なくとも１つのプロセッサに結合されたメモリと、を備える、無線通信装置。
【請求項２７】
前記少なくとも１つのプロセッサは、少なくとも部分的に前記エアインタフェースを通じて前記１つ以上のｅＮＢと１つ以上の干渉管理メッセージを通信することによって前記１つ以上のｅＮＢと通信する請求項２６に記載の無線通信装置。
【請求項２８】
前記１つ以上の干渉管理メッセージは、ブランキング要求を含む請求項２７に記載の無線通信装置。
【請求項２９】
前記１つ以上の干渉管理メッセージは、前記１つ以上のｅＮＢによってブランキングされた一組のリソースの指示を含む請求項２７に記載の無線通信装置。
【請求項３０】
前記少なくとも１つのプロセッサは、前記１つ以上のｅＮＢに関する１つ以上のパラメータに少なくとも部分的に基づいて前記１つ以上のｅＮＢと前記１つ以上の干渉管理メッセージをやり取りすることを決定するようにさらに構成される請求項２７に記載の無線通信装置。
【請求項３１】
前記少なくとも１つのプロセッサは、前記１つ以上の干渉管理メッセージに少なくとも部分的に基づいて一組のブランキングされたリソースでの送信をブランキングするようにさらに構成される請求項２７に記載の無線通信装置。
【請求項３２】
前記少なくとも１つのプロセッサは、前記１つ以上のｅＮＢにブランキングされたリソースの前記組の指示を通信するようにさらに構成される請求項３１に記載の無線通信装置。
【請求項３３】
前記１つ以上の干渉管理メッセージは、異種のＵＥのバッファレベル、前記１つ以上のｅＮＢの割り当てられた優先度、又は１つ以上の干渉パラメータを含み、前記少なくとも１つのプロセッサは、前記異種のＵＥの前記バッファレベル、前記１つ以上のｅＮＢの前記割り当てられた優先度、又は前記１つ以上の干渉パラメータに少なくとも部分的に基づいてブランキングされたリソースの前記組を決定するようにさらに構成される請求項３２に記載の無線通信装置。
【請求項３４】
前記少なくとも１つのプロセッサは、前記異種のＵＥの前記バッファレベル、前記１つ以上のｅＮＢの前記割り当てられた優先度、又は前記１つ以上の干渉パラメータに少なくとも部分的に基づいて１つ以上の異種のｅＮＢに関するブランキングのための異種の一組のブランキングされたリソースを決定するようにさらに構成される請求項３３に記載の無線通信装置。
【請求項３５】
前記少なくとも１つのプロセッサは、前記１つ以上のｅＮＢの共配置されたＵＥと通信することによって前記１つ以上のｅＮＢと通信する請求項２６に記載の無線通信装置。
【請求項３６】
前記少なくとも１つのプロセッサは、前記共配置されたＵＥからリソース割り当て要求を受信するようにさらに構成される請求項３５に記載の無線通信装置。
【請求項３７】
前記少なくとも１つのプロセッサは、前記無線通信装置と共配置されるＵＥを用いて前記１つ以上のｅＮＢと通信する請求項２６に記載の無線通信装置。
【請求項３８】
前記少なくとも１つのプロセッサは、前記無線通信装置と共配置される前記ＵＥを用いて前記１つ以上のｅＮＢにリソース割り当て要求を通信する請求項３７に記載の無線通信装置。
【請求項３９】
前記少なくとも１つのプロセッサは、少なくとも部分的に、前記エアインタフェースを通じて、前記１つ以上のＵＥに関するバッファレベル、前記無線通信装置に関する割り当てられた優先度、又は１つ以上の異種のｅＮＢからの干渉に関する１つ以上のパラメータを前記１つ以上のｅＮＢに通信することによって前記１つ以上のｅＮＢと通信する請求項２６に記載の無線通信装置。
【請求項４０】
前記１つ以上のデータ信号は、前記１つ以上のｅＮＢと通信することに関する測定ギャップ、前記少なくとも１つのプロセッサが前記１つ以上のｅＮＢと通信する１つ以上の期間にわたって不連続受信モードに入るためのコマンド、又は前記少なくとも１つのプロセッサが前記１つ以上のｅＮＢと通信する期間又は時間間隔に関する１つ以上のパラメータを含む請求項２６に記載の無線通信装置。
【請求項４１】
前記少なくとも１つのプロセッサは、前記１つ以上のｅＮＢと通信する前のある期間にわたって前記１つ以上のＵＥに前記１つ以上のデータ信号を送信するための送信電力をフェージングするようにさらに構成される請求項２６に記載の無線通信装置。
【請求項４２】
前記１つ以上のデータ信号は、１つ以上の無線リンク失敗タイマを含み、前記少なくとも１つのプロセッサは、前記１つ以上のｅＮＢと通信する前に前記１つ以上のＵＥに前記１つ以上の無線リンク失敗タイマを送信する請求項２６に記載の無線通信装置。
【請求項４３】
前記少なくとも１つのプロセッサは、有線バックホールリンクをさらに通じて前記１つ以上のｅＮＢと通信するようにさらに構成される請求項２６に記載の無線通信装置。
【請求項４４】
装置であって、
１つ以上のｅＮＢのためのメッセージを生成するための手段と、
エアインタフェースを通じて前記１つ以上のｅＮＢに前記メッセージを通信し及び前記エアインタフェースを通じて１つ以上のＵＥに１つ以上の異種のメッセージを通信するための手段と、を備える、装置。
【請求項４５】
前記メッセージは、１つ以上の干渉管理メッセージを含む請求項４４に記載の装置。
【請求項４６】
前記１つ以上の干渉管理メッセージは、ブランキング要求又は前記１つ以上のｅＮＢによってブランキングされた一組のリソースの指示を備える請求項４５に記載の装置。
【請求項４７】
前記１つ以上のｅＮＢに関する１つのパラメータに少なくとも部分的に基づいて前記１つ以上のｅＮＢに前記１つ以上の干渉管理メッセージを通信することを決定するための手段をさらに備える請求項４５に記載の装置。
【請求項４８】
前記１つ以上のｅＮＢに関する前記１つ以上のパラメータは、前記１つ以上のｅＮＢの識別子、前記１つ以上のｅＮＢの割り当てられた優先度、前記１つ以上のｅＮＢのタイプ、又は前記１つ以上のｅＮＢに対する通信負荷を含み、前記１つ以上の干渉管理メッセージは、リソース割り当て要求を含む請求項４７に記載の装置。
【請求項４９】
前記１つ以上のｅＮＢに前記メッセージに通信するための前記手段は、前記エアインタフェースを通じて前記１つ以上のｅＮＢからブランキング要求をさらに受信する請求項４５に記載の装置。
【請求項５０】
前記１つ以上のｅＮＢに前記メッセージを通信するための前記手段は、前記１つ以上のｅＮＢから受信された１つ以上の異種の干渉管理メッセージに少なくとも部分的に基づいて一組のブランキングされたリソースでの送信をブランキングする請求項４５に記載の装置。
【請求項５１】
前記１つ以上の異種の干渉管理メッセージに応答してブランキングされたリソースの前記組の指示を生成するための手段をさらに備え、前記１つ以上の干渉管理メッセージは、ブランキングされたリソースの前記組の前記指示を含む請求項５０に記載の装置。
【請求項５２】
異種のＵＥのバッファレベルに少なくとも部分的に基づいてブランキングされたリソースの前記組を決定するための手段をさらに備え、前記１つ以上のｅＮＢから受信された前記１つ以上の異種の干渉管理メッセージは、前記異種のＵＥの前記バッファレベルを含む請求項５１に記載の装置。
【請求項５３】
前記１つ以上のｅＮＢの割り当てられた優先度に少なくとも部分的に基づいてブランキングされたリソースの前記組を決定するための手段をさらに備え、前記１つ以上のｅＮＢから受信された前記１つ以上の異種の干渉管理メッセージは、前記１つ以上のｅＮＢの前記割り当てられた優先度を含む請求項５１に記載の装置。
【請求項５４】
１つ以上の異種のｅＮＢからの前記１つ以上のｅＮＢにおける干渉に関する１つ以上のパラメータに少なくとも部分的に基づいてブランキングされたリソースの前記組を決定するための手段をさらに備え、前記１つ以上のｅＮＢから受信された前記１つ以上の異種の干渉管理メッセージは、前記干渉に関する前記１つ以上のパラメータを含む請求項５１に記載の装置。
【請求項５５】
前記１つ以上の干渉管理メッセージは、前記１つ以上のｅＮＢの識別子、タイプ、又は通信負荷を備える請求項４５に記載の装置。
【請求項５６】
前記１つ以上のｅＮＢに前記メッセージを通信するための前記手段は、前記１つ以上のｅＮＢにおいて共配置されたＵＥから異種のメッセージをさらに受信する請求項４４に記載の装置。
【請求項５７】
前記異種のメッセージは、リソース割り当てである請求項５６に記載の装置。
【請求項５８】
前記１つ以上のｅＮＢに前記メッセージを通信するための前記手段は、前記装置において共配置されたＵＥを含む請求項４４に記載の装置。
【請求項５９】
前記１つ以上の干渉管理メッセージは、リソース割り当て要求である請求項５８に記載の装置。
【請求項６０】
前記メッセージは、前記１つ以上のＵＥと通信することに関するバッファレベルを備える請求項４４に記載の装置。
【請求項６１】
前記メッセージは、１つ以上の異種のｅＮＢから前記装置への干渉に関する１つ以上のパラメータを備える請求項４４に記載の装置。
【請求項６２】
前記メッセージは、前記装置に割り当てられた優先度を備える請求項４４に記載の装置。
【請求項６３】
前記１つ以上の異種のメッセージは、前記１つ以上のｅＮＢと通信することに対応する測定ギャップの指示、不連続受信モードに入るためのコマンド、１つ以上の無線リンク失敗タイマ、又は、通信するための前記手段が前記１つ以上のｅＮＢに前記メッセージを通信する期間又は時間間隔に関する１つ以上のパラメータを備える請求項４４に記載の装置。
【請求項６４】
通信するための前記手段が前記１つ以上のｅＮＢに前記メッセージを通信する前に前記１つ以上のＵＥへの送信電力をフェージングするための手段をさらに備える請求項４４に記載の装置。
【請求項６５】
有線バックホールリンクを通じて前記１つ以上のｅＮＢにデータを送信するための手段をさらに備える請求項４４に記載の装置。
【請求項６６】
コンピュータプログラム製品であって、
エアインタフェースを通じて１つ以上のＵＥに１つ以上のデータ信号を送信することを少なくとも１つのコンピュータに行わせるための符号と、
前記エアインタフェースを通じて１つ以上のｅＮＢとメッセージを通信することを前記少なくとも１つのコンピュータに行わせるための符号と、を備えるコンピュータによって読み取り可能な媒体、を備える、コンピュータプログラム製品。
【請求項６７】
前記メッセージは、１つ以上の干渉管理メッセージを備える請求項６６に記載のコンピュータプログラム製品。
【請求項６８】
前記１つ以上の干渉管理メッセージは、ブランキング要求を含む請求項６７に記載のコンピュータプログラム製品。
【請求項６９】
前記１つ以上の干渉管理メッセージは、前記１つ以上のｅＮＢによってブランキングされた一組のリソースの指示を含む請求項６７に記載のコンピュータプログラム製品。
【請求項７０】
前記コンピュータによって読み取り可能な媒体は、前記１つ以上のｅＮＢに関する１つ以上のパラメータに少なくとも部分的に基づいて前記１つ以上のｅＮＢと前記１つ以上の干渉管理メッセージをやり取りすることを決定することを前記少なくとも１つのコンピュータに行わせるための符号をさらに備える請求項６７に記載のコンピュータプログラム製品。
【請求項７１】
前記コンピュータによって読み取り可能な媒体は、前記１つ以上の干渉管理メッセージに少なくとも部分的に基づいて一組のブランキングされたリソースでの送信をブランキングすることを前記少なくとも１つのコンピュータに行わせるための符号をさらに備える請求項６７に記載のコンピュータプログラム製品。
【請求項７２】
前記コンピュータによって読み取り可能な媒体は、前記１つ以上のｅＮＢにブランキングされたリソースの前記組の指示を通信することを前記少なくとも１つのコンピュータに行わせるための符号をさらに備える請求項７１に記載のコンピュータプログラム製品。
【請求項７３】
前記１つ以上の干渉管理メッセージは、前記１つ以上のｅＮＢと通信する異種のＵＥのバッファレベル、前記１つ以上のｅＮＢの割り当てられた優先度、又は前記１つ以上のｅＮＢに関する１つ以上の干渉パラメータを含み、前記コンピュータによって読み取り可能な媒体は、前記異種のＵＥの前記バッファレベル、前記１つ以上のｅＮＢの前記割り当てられた優先度、又は前記１つ以上の干渉パラメータに少なくとも部分的に基づいてブランキングされたリソースの前記組を決定することを前記少なくとも１つのコンピュータに行わせるための符号をさらに備える請求項７２に記載のコンピュータプログラム製品。
【請求項７４】
前記コンピュータによって読み取り可能な媒体は、前記異種のＵＥの前記バッファレベル、前記１つ以上のｅＮＢの前記割り当てられた優先度、又は前記１つ以上の干渉パラメータに少なくとも部分的に基づいて１つ以上の異種のｅＮＢに関するブランキングのための異種の一組のブランキングされたリソースを決定することを前記少なくとも１つのコンピュータに行わせるための符号をさらに備える請求項７３に記載のコンピュータプログラム製品。
【請求項７５】
前記１つ以上のｅＮＢと通信することを前記少なくとも１つのコンピュータに行わせるための前記符号は、前記１つ以上のｅＮＢの共配置されたＵＥと通信する請求項６６に記載のコンピュータプログラム製品。
【請求項７６】
前記コンピュータによって読み取り可能な媒体は、前記共配置されたＵＥからリソース割り当て要求を受信することを前記少なくとも１つのコンピュータに行わせるための符号をさらに備える請求項７５に記載のコンピュータプログラム製品。
【請求項７７】
前記１つ以上のｅＮＢと通信することを前記少なくとも１つのコンピュータに行わせるための前記符号は、共配置されたＵＥを用いて前記１つ以上のｅＮＢと通信する請求項６６に記載のコンピュータプログラム製品。
【請求項７８】
前記メッセージは、リソース割り当て要求である請求項７７に記載のコンピュータプログラム製品。
【請求項７９】
前記メッセージは、前記１つ以上のＵＥに関するバッファレベル、前記１つ以上のｅＮＢに関する割り当てられた優先度、又は１つ以上の異種のｅＮＢからの干渉に関する１つ以上のパラメータを含む請求項６６に記載のコンピュータプログラム製品。
【請求項８０】
前記１つ以上のデータ信号は、前記１つ以上のｅＮＢと通信することに関する測定ギャップ、通信することを前記少なくとも１つのコンピュータに行わせるための前記符号が前記１つ以上のｅＮＢと前記メッセージを通信する１つ以上の期間にわたって不連続受信モードに入るためのコマンド、１つ以上の無線リンク失敗タイマ、又は、通信することを前記少なくとも１つのコンピュータに行わせるための前記符号が前記１つ以上のｅＮＢと前記メッセージを通信する期間又は時間間隔に関する１つ以上のパラメータを含む請求項６６に記載のコンピュータプログラム製品。
【請求項８１】
前記コンピュータによって読み取り可能な媒体は、前記１つ以上のｅＮＢと通信する前のある期間にわたって前記１つ以上のＵＥに前記１つ以上のデータ信号を送信するための送信電力をフェージングすることを前記少なくとも１つのコンピュータに行わせるための符号をさらに備える請求項６６に記載のコンピュータプログラム製品。
【請求項８２】
前記コンピュータによって読み取り可能な媒体は、有線バックホールリンクをさらに通じて前記１つ以上のｅＮＢと通信することを前記少なくとも１つのコンピュータに行わせるための符号をさらに備える請求項６６に記載のコンピュータプログラム製品。
【請求項８３】
装置であって、
１つ以上のｅＮＢのためのメッセージを生成するアクセスポイント間メッセージ生成コンポーネントと、
エアインタフェースを通じて前記１つ以上のｅＮＢに前記メッセージを通信し及び前記エアインタフェースを通じて１つ以上のＵＥに１つ以上の異種のメッセージを通信するエアインタフェース通信コンポーネントと、を備える、装置。
【請求項８４】
前記メッセージは、１つ以上の干渉管理メッセージを含む請求項８３に記載の装置。
【請求項８５】
前記１つ以上の干渉管理メッセージは、ブランキング要求又は前記１つ以上のｅＮＢによってブランキングされた一組のリソースの指示を備える請求項８４に記載の装置。
【請求項８６】
前記１つ以上のｅＮＢに関する１つ以上のパラメータ及び前記装置に関する１つ以上の同様のパラメータに少なくとも部分的に基づいて前記１つ以上のｅＮＢに前記１つ以上の干渉管理メッセージを通信することを決定するパラメータ測定コンポーネントをさらに備える請求項８４に記載の装置。
【請求項８７】
前記１つ以上のｅＮＢに関する前記１つ以上のパラメータは、前記１つ以上のｅＮＢの識別子、前記１つ以上のｅＮＢの割り当てられた優先度、前記１つ以上のｅＮＢのタイプ、又は前記１つ以上のｅＮＢに対する通信負荷を含み、前記１つ以上の干渉管理メッセージは、リソース割り当て要求を含む請求項８６に記載の装置。
【請求項８８】
前記エアインタフェース通信コンポーネントは、前記エアインタフェースを通じて前記１つ以上のｅＮＢからブランキング要求をさらに受信する請求項８４に記載の装置。
【請求項８９】
前記エアインタフェース通信コンポーネントは、前記１つ以上のｅＮＢから受信された１つ以上の異種の干渉管理メッセージに少なくとも部分的に基づいて一組のブランキングされたリソースでの送信をブランキングする請求項８４に記載の装置。
【請求項９０】
前記１つ以上の異種の干渉管理メッセージに応答してブランキングされたリソースの前記組の指示を生成するリソーススケジューリングコンポーネントをさらに備え、前記１つ以上の干渉管理メッセージは、ブランキングされたリソースの前記組の前記指示を含む請求項８９に記載の装置。
【請求項９１】
異種のＵＥのバッファレベル、前記１つ以上のｅＮＢの割り当てられた優先度、又は前記１つ以上のｅＮＢでの干渉に関する１つ以上のパラメータに少なくとも部分的に基づいてブランキングされたリソースの前記組を決定するリソース割り当てコンポーネントをさらに備え、前記１つ以上のｅＮＢから受信された前記１つ以上の異種の干渉管理メッセージは、前記異種のＵＥの前記バッファレベル、前記１つ以上のｅＮＢの前記割り当てられた優先度、又は前記１つ以上のｅＮＢでの前記干渉に関する前記１つ以上のパラメータを含む請求項９０に記載の装置。
【請求項９２】
前記１つ以上の干渉管理メッセージは、前記１つ以上のｅＮＢの識別子、タイプ、割り当てられた優先度、又は通信負荷を備える請求項８４に記載の装置。
【請求項９３】
前記エアインタフェース通信コンポーネントは、前記１つ以上のｅＮＢにおいて共配置されたＵＥから異種のメッセージをさらに受信する請求項８３に記載の装置。
【請求項９４】
前記エアインタフェース通信コンポーネントは、前記装置において共配置されたＵＥ内に含められる請求項８３に記載の装置。
【請求項９５】
前記メッセージは、前記１つ以上のＵＥと通信することに関するバッファレベルを備える請求項８３に記載の装置。
【請求項９６】
前記メッセージは、前記装置への１つ以上の異種のｅＮＢからの干渉に関する１つ以上のパラメータを備える請求項８３に記載の装置。
【請求項９７】
前記メッセージは、前記装置に割り当てられた優先度を備える請求項８３に記載の装置。
【請求項９８】
前記１つ以上の異種のメッセージは、前記１つ以上のｅＮＢと通信することに対応する測定ギャップ、不連続受信モードに入るためのコマンド、１つ以上の無線リンク失敗タイマ、又は、前記エアインタフェース通信コンポーネントが前記１つ以上のｅＮＢに前記メッセージを通信する期間又は時間間隔に関する１つ以上のパラメータを備える請求項８３に記載の装置。
【請求項９９】
前記エアインタフェース通信コンポーネントが前記１つ以上のｅＮＢに前記メッセージを通信する前のある期間にわたって前記１つ以上のＵＥへの送信電力を低減させる電力フェージングコンポーネントをさらに備える請求項８３に記載の装置。
【請求項１００】
有線バックホールリンクを通じて前記１つ以上のｅＮＢと通信するバックホール通信コンポーネントをさらに備える請求項８３に記載の装置。
【発明の詳細な説明】
【技術分野】
【０００１】
３５Ｕ．Ｓ．Ｃ．§１１９に基づく優先権の主張
本特許出願は、“METHOD AND APPARATUS FOR RESOURCE NEGOTIATION AND ALLOCATION USING A WIRELESS X2 INTERFACE”（無線X2インタフェースを用いたリソースの交渉及び割り当てのための方法及び装置）という題名を有し、これの譲受人に対して譲渡され、ここにおける引用によってここによって明示で組み入れられている仮特許出願第６１／１５１，４５０号（出願日：２００９年２月１０日）、及び、“METHOD AND APPARATUS FOR RESOURCE NEGOTIATION AND ALLOCATION USING A WIRELESS X2 INTERFACE”（無線X2インタフェースを用いたリソースの交渉及び割り当てのための方法及び装置）という題名を有し、これの譲受人に対して譲渡され、ここにおける引用によってここによって明示で組み入れられている仮特許出願第６１／１７５，３０２号（出願日：２００９年５月４日）に対する優先権を主張するものである。
【０００２】
以下の説明は、概して、無線通信に関するものである。以下の説明は、より具体的には、アクセスポイント間での通信に関するものである。
【背景技術】
【０００３】
様々なタイプの通信コンテンツ、例えば音声、データ、等、を提供することを目的として無線通信システムが広範囲にわたって配備されている。典型的な無線通信システムは、利用可能なシステムリソース（例えば、帯域幅、送信電力、等）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、等を含むことができる。さらに、これらのシステムは、例えば、第３世代パートナーシッププロジェクト（３ＧＰＰ）、３ＧＰＰロングタームエボリューション（ｌｏｎｇ  ｔｅｒｍ  ｅｖｏｌｕｔｉｏｎ）（ＬＴＥ）、ウルトラモバイルブロードバンド（ｕｌｔｒａ  ｍｏｂｉｌｅ  ｂｒｏａｄｂａｎｄ）（ＵＭＢ）、等の仕様、及び／又は多搬送波無線仕様、例えば、エボリューションデータオプティマイズド（ｅｖｏｌｕｔｉｏｎ  ｄａｔａ  ｏｐｔｉｍｉｚｅｄ）（ＥＶ−ＤＯ）、それらの１つ以上の改訂版、等、に準じることができる。
【０００４】
概して、無線多元接続通信システムは、複数のモバイルデバイスのための通信を同時にサポートすることができる。各モバイルデバイスは、順方向リンク及び逆方向リンクにおける送信を介して１つ以上のアクセスポイント（例えば、基地局）と通信することができる。順方向リンク（又はダウンリンク）は、アクセスポイントからモバイルデバイスへの通信リンクを意味し、逆方向リンク（又はアップリンク）は、モバイルデバイスからアクセスポイントへの通信リンクを意味する。さらに、モバイルデバイスとアクセスポイントとの間の通信は、単入力単出力（ＳＩＳＯ）システム、多入力単出力（ＭＩＳＯ）システム、多入力多出力（ＭＩＭＯ）システム、等を介して確立することができる。さらに、モバイルデバイスは、ピアツーピア無線ネットワーク構成におけるその他のモバイルデバイス(及び／又はその他のアクセスポイントを有するアクセスポイント)と通信することができる。
【０００５】
この点に関して、アクセスポイントは、無線ネットワークアクセスをモバイルデバイスに提供するのを容易にするためにコアネットワークと通信することができる。さらに、アクセスポイントは、典型的に、コアネットワークを通じて有線バックホールリンクで(例えば、ＬＴＥにおいては、Ｘ２または同様のインタフェースを用いて)互いに通信することができる。異種のネットワーク、例えば、インターネット、とのブロードバンド接続を介してコアネットワークに接続すること、及びそれよりも小規模な無線ネットワークアクセスを提供するためにモバイルデバイスと通信することができるフェムトセル、ピコセル、及び類似のより小さい電力のアクセスポイントが導入されている。これらのアクセスポイントは、バックホール接続を通じて互いに及び／又はその他のアクセスポイントと通信することもできる。該アクセスポイントの含有は、異質の計画されていないネットワーク配備を可能し、それは、１つ以上のアクセスポイントに対する干渉、アクセスポイントがその他のアクセスポイントと通信するための信頼できるインタフェース(例えば、オペレータによって配備されたバックホール)を有さない状態、及び／又は同類のことが結果的に生じる可能性がある
【発明の概要】
【０００６】
以下は、１つ以上の態様についての基本的な理解を提供することを目的として該態様の単純化された概要を示すものである。この概要は、すべての企図される態様の広範な概略ではなく、又、全態様の主要な又は非常に重要な要素を特定するわけではないこと、及びいずれの態様の適用範囲も詳述はせず及び全態様の適用範囲を詳述するわけではないことが意図される。それの唯一の目的は、後述されるより詳細な発明を実施するための形態の準備段階として、１つ以上の態様の幾つかの概念を簡略化された形で提示することである。
【０００７】
１つ以上の態様及びそれらの対応する開示により、エアインタフェースを通じて無線ネットワーク内のアクセスポイント間で通信するのを容易にすることと関係させて様々な態様が説明される。例えば、アクセスポイントは、１つ以上の無線デバイスにサービスを提供するためにもアクセスポイントによって利用されるエアインタフェースを通じて異種のアクセスポイントと通信することができる。一例においては、アクセスポイントは、異種のアクセスポイントの変更を軽減するために、共配置された無線デバイス、又はその一部、を用いて異種のアクセスポイントと通信することができる。例えば、アクセスポイントは、（例えば、単独で又は有線バックホールリンクと連動して）エアインタフェースを用いて干渉管理メッセージ、近隣リスト、又はその他の非常に重要なデータを通信することができる。さらに、アクセスポイントは、エアインタフェースを通じて異種のアクセスポイントと通信することに起因する、エアインタフェースを通じてサービスが提供される１つ以上の無線アクセスポイントに対する潜在的な影響、を軽減することができる。従って、アクセスポイントは、各々の有線バックホールリンクが信頼不能になった場合でも無線ネットワークにおいて通信することができる。
【０００８】
関連する態様により、エアインタフェースを通じて１つ以上のＵＥと通信することとエアインタフェースを通じて１つ以上のｅＮＢと通信することとを含む方法が提供される。
【０００９】
他の態様は、無線通信装置に関するものである。無線通信装置は、エアインタフェースを通じて１つ以上のＵＥに１つ以上のデータ信号を送信し及びエアインタフェースを通じて１つ以上のｅＮＢと通信するように構成された少なくとも１つのプロセッサを含むことができる。無線通信装置は、少なくとも１つのプロセッサに結合されたメモリも備える。
【００１０】
さらに他の態様は、装置に関するものである。装置は、１つ以上のｅＮＢのためのメッセージを生成するための手段と、エアインタフェースを通じて１つ以上のｅＮＢにメッセージを通信し及びエアインタフェースを通じて１つ以上のＵＥに１つ以上の異種のメッセージを通信するための手段と、を含む。
【００１１】
さらに他の態様は、コンピュータプログラム製品に関するものであり、それは、エアインタフェースを通じて１つ以上のＵＥに１つ以上のデータ信号を送信することを少なくとも１つのコンピュータに行わせるための符号を含むコンピュータによって読み取り可能な媒体を有することができる。コンピュータによって読み取り可能な媒体は、エアインタフェースを通じて１つ以上のｅＮＢとメッセージを通信することを少なくとも１つのコンピュータに行わせるための符号を備えることもできる。
【００１２】
さらに、追加の態様は、１つ以上のｅＮＢのためのメッセージを生成するアクセスポイント間メッセージ生成コンポーネントを含む装置に関するものである。装置は、エアインタフェースを通じて１つ以上のｅＮＢにメッセージを通信し及びエアインタフェースを通じて１つ以上のＵＥに１つ以上の異種のメッセージを通信するエアインタフェース通信コンポーネントをさらに含むことができる。
【００１３】
上記及び関連する目的の完遂を目的として、１つ以上の態様は、以下において十分に説明され及び請求項において特に強調される特徴を備える。以下の説明及び添付された図面は、１つ以上の態様の一定の例示的な特徴を詳述するものである。しかしながら、これらの特徴は、様々な態様の原理を採用することができる様々な方法のうちのほんのわずかを示すにすぎず、この説明は、すべての該態様及びそれらの同等物を含むことが意図される。
【図面の簡単な説明】
【００１４】
【図１】ここにおいて説明される様々な態様による無線通信システムを示した図である。
【図２】エアインタフェースを通じてのアクセスポイント間通信を容易にする無線通信システム例を示した図である。
【図３】エアインタフェースを通じてアクセスポイント間でリソースを交渉することを達成させる無線通信システム例を示した図である。
【図４】デバイスと通信するために干渉するアクセスポイントにリソースを要求する無線通信システム例を示した図である。
【図５】アクセスポイント間通信のために同調を外れるために無線デバイスを準備する無線通信システム例を示した図である。
【図６】同じエアインタフェースを通じてｅＮＢ及びＵＥと通信するのを容易にする方法例を示した図である。
【図７】エアインタフェースを通じて１つ以上のｅＮＢとリソース割り当てを交渉する方法例を示した図である。
【図８】エアインタフェースを通じて１つ以上のｅＮＢにリソースを割り当てるのを容易にする方法例を示した図である。
【図９】ｅＮＢ間での通信中に同調を外れるためにＵＥを準備する方法例を示した図である。
【図１０】ｅＮＢ間での通信を容易にするシステム例を示した図である。
【図１１】ここにおいて説明される機能の様々な態様を実装するために利用することができる無線通信デバイス例のブロック図である。
【図１２】ここにおいて説明される機能の様々な態様を実装するために利用することができる無線通信デバイス例のブロック図である。
【図１３】マクロセル及びフェムトセルアクセスポイント通信を提供するのを容易にする無線ネットワーク環境例を示した図である。
【図１４】複数のタイプのアクセスノードを含む無線ネットワーク環境例を示した図である。
【図１５】フェムトセルアクセスポイントがマクロセル内に配備された無線ネットワーク環境例を示した図である。
【図１６】ここにおいて説明される様々なシステム及び方法と連携して採用することができる無線ネットワーク環境例を示した図である。
【発明を実施するための形態】
【００１５】
ここでは、図面を参照して様々な態様が説明される。以下の説明においては、説明する目的上、１つ以上の態様についての徹底的な理解を提供するために数多くの具体的な詳細が示される。しかしながら、該態様は、これらの具体的な詳細なしに実践可能であることが明確であろう。
【００１６】
本出願で用いられる場合において、用語“コンポーネント”、“モジュール”“システム”、及び同類のものは、コンピュータに関連するエンティティ、例えば、限定されることなしに、ハードウェア、ファームウェア、ハードウェアとソフトウェアの組み合わせ、ソフトウェア、又は実行中のソフトウェア、等、を含むことが意図される。例えば、コンポーネントは、限定されることなしに、プロセッサにおいて実行中のプロセス、プロセッサ、オブジェクト、エクセキュータブル（ｅｘｅｃｕｔａｂｌｅ）、実行スレッド、プログラム、及び／又はコンピュータであることができる。一例として、計算デバイスにおいて実行するアプリケーション及びその計算デバイスの両方がコンポーネントであることができる。プロセス及び／又は実行スレッド内には１つ以上のコンポーネントが常駐することができ、及び、コンポーネントは、１つのコンピュータ上に局在化する及び／又は２つ以上のコンピュータ間で分散させることができる。さらに、これらのコンポーネントは、様々なデータ構造が格納されている様々なコンピュータによって読み取り可能な媒体から実行可能である。これらのコンポーネントは、ローカル及び／又は遠隔プロセスによって、例えば１つ以上のデータパケット、例えば、ローカルシステム又は分散型システム内の他のコンポーネントと対話中の１つのコンポーネントからのデータ、又はインターネット等のネットワークを通じて信号を用いてその他のシステムと対話中のコンポーネントからのデータ、を有する信号に従って、通信することができる。
【００１７】
さらに、様々な態様が、有線端末又は無線端末であることができる端末と関係させてここにおいて説明される。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、又はユーザ装置（ＵＥ）と呼ぶこともできる。無線端末は、携帯電話、衛星電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は、無線モデムに接続されたその他の処理デバイス、であることができる。さらに、基地局と関係させて様々な態様がここにおいて説明される。基地局は、無線端末と通信するために利用することができ、アクセスポイント、ノードＢ（例えば、ｅｖｏｌｖｅｄ  Ｎｏｄｅ  Ｂ（ｅＮＢ）、及び／又は同類のもの）、又はその他の何らかの用語で呼ばれることもある。
【００１８】
さらに、語句“又は”は、排他的“又は”ではなく包含的“又は”を意味することが意図される。すなわち、その他の規定がない限り、又は文脈から明らかでない限り、表現“Ｘは、Ａ又はＢを採用する”は、自然の包含的置換のうちのいずれかを意味することが意図される。すなわち、表現“Ｘは、Ａ又はＢを採用する”は、次の事例、すなわち、ＸはＡを採用する、ＸはＢを採用する、又はＸはＡ及びＢの両方を採用する、のいずれによっても満たされる。さらに、この出願及び添付される請求項において用いられる冠詞“ａ（１つの）”又は“ａｎ（１つの）”は、その他の規定がない限り又は単数形であることが示されることが文脈から明らかでない限り、“１つ以上”を意味すると概して解釈されるべきである。
【００１９】
ここにおいて説明される技法は、様々な無線通信システム、例えば、ＣＤＭＡ、ＴＤＭＡ、ＦＤＭＡ、ＯＦＤＭＡ、ＳＣ−ＦＤＭＡ及びその他のシステム、に関して用いることができる。用語“システム”及び“ネットワーク”は、互換可能な形でしばしば用いられる。ＣＤＭＡシステムは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）と、ＣＤＭＡのその他の変形と、を含む。さらに、ｃｄｍａ２０００は、ＩＳ−２０００規格、ＩＳ−９５規格及びＩＳ−８５６規格を網羅する。ＴＤＭＡシステムは、グローバル移動体通信システム（ＧＳＭ（登録商標））、等の無線技術を実装することができる。ＯＦＤＭＡシステムは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（ＬＴＥ）は、Ｅ−ＵＴＲＡを使用し、ダウンリンクにおいてＯＦＤＭＡ及びアップリンクにおいてＳＣ−ＦＤＭＡを採用するＵＭＴＳのリリース版である。ＵＴＲＡ、Ｅ−ＵＴＲＡ、ＵＭＴＳ、ＬＴＥ及びＧＳＭは、“第３世代パートナーシッププロジェクト”（３ＧＰＰ）という名称の組織からの文書において記述されている。さらに、ｃｄｍａ２０００及びＵＭＢは、“第３世代パートナーシッププロジェクト２”（３ＧＰＰ２）という名称の組織からの文書において記述されている。さらに、該無線通信システムは、対でない免許不要のスペクトル、８０２．ｘｘ無線ＬＡＮ、ＢＬＵＥＴＯＯＴＨ（登録商標）及びその他の短距離又は長距離の無線通信技法をしばしば用いるピアツーピア（例えばモバイル対モバイル）アドホックネットワークシステムをさらに含むことができる。
【００２０】
様々な態様又は特徴は、幾つかのデバイス、コンポーネント、モジュール、及び同類のものを含むことができるシステムに関して提示される。様々なシステムは、追加のデバイス、コンポーネント、モジュール、等を含むことができ、及び／又は図と関係させて説明されるすべてのデバイス、コンポーネント、モジュール、等を含まなくてもよいことが理解及び評価されるべきである。これらの手法の組み合わせを用いることもできる。
【００２１】
今度は図１を参照し、無線通信システム１００が、ここにおいて提示される様々な実施形態によって示される。システム１００は、複数のアンテナグループを含むことができる基地局１０２を備える。例えば、１つのアンテナグループは、アンテナ１０４と１０６とを含むことができ、他のグループは、アンテナ１０８と１１０とを含むことができ、及び追加のグループは、アンテナ１１２と１１４とを含むことができる。各アンテナグループに関して２つのアンテナが示される。しかしながら、これよりも多い又は少ない数のアンテナを各グループのために利用することができる。当業者によって評価されるであろうように、基地局１０２は、送信機チェーンと受信機チェーンとをさらに含むことができ、それらの各々は、信号の送信及び受信と関連づけられた複数のコンポーネント（例えば、プロセッサ、変調器、マルチプレクサ、復調器、デマルチプレクサ、アンテナ、等）を備えることができる。
【００２２】
基地局１０２は、１つ以上のモバイルデバイス、例えば、モバイルデバイス１１６及びモバイルデバイス１２６、と通信することができる。しかしながら、基地局１０２は、モバイルデバイス１１６及び１２６に類似する実質上あらゆる数のモバイルデバイスと通信することができる。モバイルデバイス１１６及び１２６は、例えば、無線通信システム１００を通じて通信するための携帯電話、スマートフォン、ラップトップ、ハンドヘルド通信デバイス、ハンドヘルド計算デバイス、衛星無線、全地球測位システム、ＰＤＡ、及び／又はその他の適切なデバイスであることができる。描かれるように、モバイルデバイス１１６は、アンテナ１１２及び１１４と通信し、アンテナ１１２及び１１４は、順方向リンク１１８を通じてモバイルデバイス１１６に情報を送信し、逆方向リンク１２０を通じてモバイルデバイス１１６から情報を受信する。周波数分割複信（ＦＤＤ）システムにおいては、順方向リンク１１８は、例えば、逆方向リンク１２０によって用いられる周波数帯域と異なるそれを利用することができる。さらに、時分割複信（ＴＤＤ）システムにおいては、順方向リンク１１８及び逆方向リンク１２０は、共通の周波数を利用することができる。
【００２３】
各アンテナグループ及び／又はそれらが通信するように指定されているエリアは、基地局１０２のセクタ又はセルと呼ぶことができる。例えば、アンテナグループは、基地局１０２によって網羅されるエリアのセクタ内のモバイルデバイスに対して通信するように設計することができる。順方向リンク１１８での通信において、基地局１０２の送信アンテナは、モバイルデバイス１１６のための順方向リンク１１８の信号対雑音比を向上させるためにビーム形成を利用することができる。さらに、基地局１０２は、関連づけられたカバレッジ全体に無作為に散在するモバイルデバイス１１６に送信するためにビーム形成を利用する一方で、近隣セル内のモバイルデバイスは、すべてのそれのモバイルデバイスに対して単一のアンテナを通じて送信する基地局と比較してより低い干渉を受けることができる。さらに、モバイルデバイス１１６及び１２６は、ピアツーピア又はアドホック技術を用いて互いに直接通信することができる。
【００２４】
さらに、基地局１０２は、バックホールリンク接続１３２を通じて、無線サービスアクセスネットワーク（例えば、ＬＴＥ又は同様のネットワーク）を含む１つ以上のネットワークであることができるネットワーク１２２と通信することができる。ネットワーク１２２は、モバイルデバイス１１６及び１２６にサービスを提供するためにモバイルデバイス１１６及び１２６に関するアクセスパラメータ及び無線アクセスネットワークのその他のパラメータに関する情報を格納することができる。さらに、（上述される順方向リンク１１８及び逆方向リンク１２０と同様に）順方向リンク１２８及び逆方向リンク１３０を通じてモバイルデバイス１２６と通信するのを容易にするためにフェムトセルアクセスポイント１２４を提供することができる。フェムトセルアクセスポイント１２４は、基地局１０２とほぼ同じように、ただしそれよりも小規模に、１つ以上のモバイルデバイス１２６にアクセスを提供することができる。一例においては、フェムトセルアクセスポイント１２４は、住宅、企業、及び／又はその他の接近した範囲の状況（例えば、テーマパーク、スタジアム、アパート、等）において構成することができる。フェムトセルアクセスポイント１２４は、バックホールリンク接続１３４を利用してネットワーク１２２に接続することができ、それは、一例においては、ブロードバンドインターネット接続（Ｔ１／Ｔ３、デジタル加入者ライン（ＤＳＬ）、ケーブル、等）を通じて行うこと又は部分的に含むことができる。ネットワーク１２２は、モバイルデバイス１２６のためにアクセス情報を同様に提供することができる。
【００２５】
一例により、モバイルデバイス１１６及び１２６は、複数のサービスエリアにわたって移動して無線アクセスを開始すること又は移動中に又は静止中に異種の基地局及び／又はフェムトセル間でセルの再選択を行うことができる。この点に関して、モバイルデバイス１１６及び１２６は、モバイルデバイス１１６及び１２６のユーザにとって継ぎ目のない連続的な無線ネットワークアクセスを達成することができる。一例(示されていない)においては、モバイルデバイス１２６は、モバイルデバイス１１６と同様に基地局１０２と通信を続けていることができ、及びフェムトセルアクセスポイント１２４の指定された範囲内に移動していることができる。この点に関して、モバイルデバイス１２６は、より望ましい無線ネットワークアクセスを受信するためにフェムトセルアクセスポイント１２４に関連する１つ以上のセルを再選択しておくことができる。さらに、モバイルデバイス１２６が基地局１０２の方に移動する場合は、それは、様々な理由で（例えば、フェムトセルアクセスポイント１２４に対する干渉を軽減するために、より最適な信号又は向上されたスループットを受信するために）いずれかの時点でそれに関連するセルを再選択することができる。
【００２６】
サービスエリアにおいて移動する際に、所定のモバイルデバイス１１６及び／又は１２６は、セルの再選択がモバイルデバイス１１６及び／又は１２６にとって適切である時点を決定するために、利用可能な基地局（例えば、基地局１０２）、フェムトセル（例えば、フェムトセルアクセスポイント１２４）、及び／又はその他のアクセスポイントの信号の品質を測定することができる。他の例においては、モバイルデバイス１１６及び／又は１２６は、どの時点で異種のセルを再選択すべきかを決定するために異種のセルに関する測定報告をそれらの各々のアクセスポイント、基地局１０２及びフェムトセルアクセスポイント１２４に送信することができる。該決定は、測定報告における１つ以上のパラメータに従って行うことができる。一例においては、測定報告は、（例えば、信号対雑音比（ＳＮＲ）又は同様の評価基準に基づいて）再選択のためのアクセスポイントの順位を設定することができる。例えば、順位設定に基づいて、基地局１０２は、最高の順位のアクセスポイントとモバイルデバイス１１６及び／又は１２６のための再選択を開始することができる。しかしながら、一例においては、フェムトセルアクセスポイント１２４は、モバイルデバイス１１６及び／又は１２６にアクセスを許容することができる又はできないクローズド加入者グループ（ｃｌｏｓｅｄ  ｓｕｂｓｃｒｉｂｅｒ  ｇｒｏｕｐ）（ＣＳＧ）アクセスポイントであることができ、基地局１０２は、セル再選択の際にフェムトセルアクセスポイント１２４を回避することができる（及び／又は、デバイス１１６及び／又は１２６は、近隣リスト内のフェムトセルアクセスポイント１２４を含めないことを決定することができる）。
【００２７】
一例により、基地局１０２及びフェムトセルアクセスポイント１２４は、各々のバックホールリンク１３２及び１３４を用いてネットワーク１２２を通じて互いに通信することができる。例えば、基地局１０２及びフェムトセルアクセスポイント１２４は、異質の配備において引き起こされる可能性がある干渉を軽減するために干渉管理メッセージをやり取りすることができる。他の例においては、基地局１０２及びフェムトセルアクセスポイント１２４は、ネットワーク１２２を通じて通信することによって近隣リストを調整又は更新することができ、セルの再選択を容易にするためにモバイルデバイス１１６及び／又は１２６のためのコンテキスト情報を通信することができ、モバイルデバイス１１６及び／又は１２６の三角測量又はその他の位置決定のための座標を通信することができ、以下同様である。しかしながら、一例においては、基地局１０２及びフェムトセルアクセスポイント１２４は、ネットワーク１２２を通じて通信することができない。これは、信頼できないバックホールリンク１３２又は１３４、バックホールリンク１３２又は１３４が存在しないこと、ネットワーク１２２における故障又はそれへの接続の失敗、及び／又は同類のことに起因する可能性がある。
【００２８】
この例において、又はバックホールリンク１３２及び１３４が動作可能である場合でさえも、基地局１０２及びフェムトセルアクセスポイント１２４は、モバイルデバイス１１６及び／又は１２６と通信するために利用されるエアインタフェースを通じて通信することができる。従って、例えば、基地局１０２は、順方向リンク１３６を通じてフェムトセルアクセスポイント１２４と通信すること及び逆方向リンク１３８を通じてそれから情報を受信することができる。代替として、基地局１０２又はフェムトセルアクセスポイント１２４がエアインタフェース通信の目的上アクセスポイント又はデバイスのいずれとみなされるかに起因して、フェムトセルアクセスポイント１２４は、順方向リンク１３８を通じて基地局１０２と通信すること及び逆方向リンク１３６を通じてそれからの通信を受信することができる。従って、例えば、基地局１０２がＬＴＥエアインタフェースを通じてモバイルデバイス１１６と通信し及びフェムトセルアクセスポイント１２４がＬＴＥエアインタフェースを通じてモバイルデバイス１２６と通信する場合は、基地局１０２及びフェムトセルアクセスポイント１２４は、一例においては、ＬＴＥインタフェースを通じて互いに通信することができる。さらに、基地局１０２及びフェムトセルアクセスポイント１２４は、動作可能な場合にその他の通信のためにバックホールリンク１３２及び１３４を使用し続けながら一定の通信のためにエアインタフェースを利用することができる。一例においては、エアインタフェース又はバックホールリンクは、各々が、基地局１０２とフェムトセルアクセスポイント１２４との間における主の又は二次的な通信ライン、冗長な通信ライン、及び／又は同類のものであることができる。
【００２９】
図２を参照し、エアインタフェースを通じてアクセスポイント間で通信するのを容易にする無線通信システム２００が示される。システム２００は、アクセスポイント２０２と２０４とを含み、それらは、マクロセル、フェムトセル、又はピコセルアクセスポイント、基地局、又はｅＮＢ、例えば、モバイルデバイス、又はその一部分、又は、無線ネットワークへのアクセスを１つ以上の無線デバイスに提供する実質上あらゆるデバイスであることができる。さらに、アクセスポイント２０２及び２０４は、類似の又は異種のタイプであることができ及び例えば提供されたネットワークアクセスを向上させるために互いに通信することができる。さらに、システム２００は、ＭＩＭＯシステムであることができ及び／又は１つ以上の無線ネットワークシステム仕様（例えば、ＥＶ−ＤＯ、３ＧＰＰ、３ＧＰＰ２、３ＧＰＰ  ＬＴＥ、ＷｉＭＡＸ、等）に準拠することができ及びアクセスポイント２０２と２０４との間での通信を容易にするための追加のコンポーネントを備えることができる。さらに、例えば、アクセスポイント２０２は、互いに及び／又はその他のアクセスポイントに同様の機能を提供するためにアクセスポイント２０４のコンポーネントを含むことができ及び／又はその逆であることができる。
【００３０】
アクセスポイント２０２は、無線ネットワークにおいて異種のアクセスポイントに通信するための１つ以上のメッセージを生成するアクセスポイント間メッセージ生成コンポーネント２０６と、エアインタフェースを通じて異種のアクセスポイント及び／又は１つ以上の無線デバイスと通信するエアインタフェース通信コンポーネント２０８と、有線バックホールリンクを通じて異種のアクセスポイントと通信することができる任意選択のバックホール通信コンポーネント２１０と、を含む。アクセスポイント２０４は、異種のアクセスポイントから受信された１つ以上のメッセージを解析するアクセスポイント間メッセージ処理コンポーネント２１２と、エアインタフェースを通じて異種のアクセスポイント及び／又は１つ以上の無線デバイスと通信するエアインタフェース通信コンポーネント２１４と、有線バックホールリンクを通じて異種のアクセスポイントと通信することができる任意選択のバックホール通信コンポーネント２１６と、を含む。
【００３１】
一例により、アクセスポイント間メッセージ生成コンポーネント２０６は、アクセスポイント２０４に通信するためのアクセスポイント間メッセージを生成することができる。アクセスポイント間メッセージは、例えば、近隣リスト（例えば、近隣アクセスポイント及び／又はそれらに関連する１つ以上の識別子又はその他の通信パラメータ）に関する情報、セルの再選択のための無線デバイスに関するコンテキスト情報、三角測量又はその他の測位アルゴリズムを用いて無線デバイスの位置を特定するための情報、及び／又は同類のもの、であることができる。干渉管理メッセージは、１つ以上のリソースを通じて通信するのを回避することに関する実質上あらゆるメッセージ、例えば、送信電力のブランキング（ｂｌａｎｋｉｎｇ）要求（例えば、一組の関連するリソースを含むことができる）、送信電力がブランキングされるときの該当する一組のリソース、リソース割り当て要求又は関連する要求、及び／又は同類のもの、であることができる。例えば、一組のリソースのための送信電力をブランキングすることは、該リソースの組に関する周波数及び／又は期間における送信を取り消す又はその他の方法で回避することを意味することができる。他の例においては、アクセスポイント２０２及び２０４は、利用可能な通信リソースをアクセスポイント２０２及び２０４（及び／又は存在する場合はその他のアクセスポイント）間で割り当てるために分散型リソース割り当て方式によって干渉管理メッセージをやり取りすることができる。
【００３２】
エアインタフェース通信コンポーネント２０８は、エアインタフェースを通じてアクセスポイント２０４にアクセスポイント間メッセージを送信することができる。説明されるように、エアインタフェースは、１つ以上の無線デバイスに無線ネットワークアクセスを提供するために追加で利用することができる。エアインタフェース通信コンポーネント２１４は、エアインタフェースを通じてアクセスポイント間メッセージを受信することができる。一例においては、アクセスポイント２０４は、１つ以上の無線デバイスにリソースを許可することができるのとほとんど同じように、エアインタフェースを通じてアクセスポイント間メッセージを通信するためにアクセスポイント２０２にリソースを予め割り当てておくことができる。他の例においては、アクセスポイント２０２は、エアインタフェース通信コンポーネント２０８を通じてメッセージをブロードキャストすることができ、及び、アクセスポイント２０４は、エアインタフェース通信コンポーネント２１４を通じてブロードキャストメッセージを受信することができる。アクセスポイント間メッセージ処理コンポーネント２１２は、メッセージを解析すること及びメッセージに基づいて行動をすることができる。エアインタフェース通信コンポーネント２０８及び２１４は、例えば、この点に関して１つ以上の干渉管理メッセージのやり取りを続けることができる。
【００３３】
一例においては、アクセスポイント間メッセージ生成コンポーネント２０６は、アクセスポイント２０２がアクセスポイント２０４からの実質的な干渉なしに１つ以上の無線デバイス（示されていない）と通信するのを可能にするために一組のリソースでのブランキングを要求する干渉管理メッセージを生成することができる。エアインタフェース通信コンポーネント２０８は、サービスが提供される無線デバイス（示されていない）と通信するためにそれが利用するエアインタフェースを通じてアクセスポイント２０４に干渉管理メッセージを送信することができる。エアインタフェース通信コンポーネント２１４は、それが無線デバイスにサービスを提供するために利用するエアインタフェースを通じて干渉管理メッセージを受信することができる。アクセスポイント間メッセージ処理コンポーネント２１２は、干渉管理メッセージ内のブランキング要求を決定することができる。アクセスポイント２０４及び／又はエアインタフェース通信コンポーネント２１４は、アクセスポイント２０２のための一組のリソースを適宜ブランキングすることができ、及び／又は、エアインタフェース通信コンポーネント２１６を用いてアクセスポイント２０２にリソースの組の通知を提供することができる。
【００３４】
他の例において、アクセスポイント２０４が、干渉管理メッセージ内の一組のリソースと重複するそれらを無線デバイスと通信するために利用する場合は、エアインタフェース通信コンポーネント２１４は、それが１つ以上の無線デバイスと通信するために利用するリソースの通知をアクセスポイント２０２に送信することができる。アクセスポイント２０２は、例えば、異なる一組のリソースを適宜選択することができ、及び、他の干渉管理メッセージを送信することができる。他の例においては、アクセスポイント２０４は、アクセスポイント２０２が利用することができる一組のリソースを送信することができる。さらに他の例においては、アクセスポイント２０２は、ここにおいてさらに説明されるように、概して、アクセスポイント２０４に一組のリソースを要求することができ、アクセスポイント２０４は、リソースの組を選択し、リソースの組での送信をブランキングし、ブランキングされたリソースの組をアクセスポイント２０２に通知することができる。説明されるように、アクセスポイント２０２及び２０４は、一例においては、バックホール通信コンポーネント２１０及びバックホール通信コンポーネント２１６を用いて有線バックホールリンクを通じてそれぞれ通信できることも評価されるべきである。
【００３５】
他の例においては、アクセスポイント２０４は、異種のアクセスポイント間でメッセージを中継することができる。例えば、アクセスポイント間メッセージ生成コンポーネント２０６は、アクセスポイント２０４とも通信する異種のアクセスポイント（示されていない）のためのメッセージを生成することができ、エアインタフェース通信コンポーネント２０８は、アクセスポイント２０４にメッセージを送信することができる。エアインタフェース通信コンポーネント２１４は、メッセージを受信することができ、アクセスポイント間メッセージ処理コンポーネント２１２は、（例えば、メッセージ内の識別子に基づいて）メッセージが異種のアクセスポイント用であることを決定することができる。従って、エアインタフェース通信コンポーネント２１４は、エアインタフェースを通じて異種のアクセスポイント（及び／又は、異種のアクセスポイントへの通信経路内にある１つ以上のアクセスポイント）に通信を転送することができる。同様に、アクセスポイント２０４は、エアインタフェース通信コンポーネント２１４を通じて異種のアクセスポイントからアクセスポイント２０２のためのメッセージを受信することができ、それは、アクセスポイント２０２にメッセージを転送することができる。従って、エアインタフェースは、範囲内にないことがある様々なアクセスポイントと通信するためにさらに利用することができる。
【００３６】
図３を参照し、アクセスポイント間でリソースを分配するのを容易にする無線通信システム例３００が示される。システム３００は、説明されるように、アクセスポイント２０２と２０４とを含み、それらは、マクロセル、フェムトセル、又はピコセルアクセスポイント、基地局、又はその他のｅＮＢ、例えば、モバイルデバイス、又はそれらの一部、又は、無線ネットワークへのアクセスを１つ以上の無線デバイスに提供する実質上あらゆるデバイスであることができる。さらに、アクセスポイント２０２及び２０４は、類似の又は異種のタイプであることができ及び例えば提供されたネットワークアクセスを向上させるために互いに通信することができる。さらに、システム３００は、ＭＩＭＯシステムであることができ及び／又は１つ以上の無線ネットワークシステム仕様（例えば、ＥＶ−ＤＯ、３ＧＰＰ、３ＧＰＰ２、３ＧＰＰ  ＬＴＥ、ＷｉＭＡＸ、等）に準拠することができ及びアクセスポイント２０２と２０４との間での通信を容易にするための追加のコンポーネントを備えることができる。さらに、例えば、アクセスポイント２０２は、その他のアクセスポイントに同様の機能を提供するためにアクセスポイント２０４のコンポーネントを含むことができ及び／又はその逆であることができる。
【００３７】
アクセスポイント２０２は、無線ネットワークにおいて通信することに関する１つ以上のパラメータを受信する又はその他の方法で決定するパラメータ測定コンポーネント３０６と、異種のアクセスポイントとリソースを交渉するためにそれに１つ以上のパラメータを提供するリソース交渉コンポーネント３０８と、１つ以上の無線デバイス（示されていない）と通信するために異種のアクセスポイントから一組のリソースを入手するリソース受信コンポーネント３１０と、異種のアクセスポイント及び１つ以上の無線デバイスとの該通信を容易にするエアインタフェース通信コンポーネント２０８と、を含む。
【００３８】
アクセスポイント２０４は、異種のアクセスポイントにリソース割り当てを要求することに関する１つ以上のパラメータを入手するリソース交渉受信コンポーネント３１２と、それらの１つ以上のパラメータに基づいて異種のアクセスポイントに提供するための一組のリソース又は一組のリソースに関する１つ以上のパラメータを決定するリソース割り当てコンポーネント３１４と、異種のアクセスポイントのための実際の一組のリソースをスケジューリングし及びそれに関する指示（ｉｎｄｉｃａｔｉｏｎ）を提供するリソーススケジューリングコンポーネント３１６と、異種のアクセスポイント（及び／又は１つ以上の無線デバイス）との該通信を容易にするエアインタフェース通信コンポーネント２１４と、を含む。
【００３９】
一例により、アクセスポイント２０２は、アクセスポイント２０４がアクセスポイント２０２及び／又は１つ以上の無線デバイスの間での通信に実際に干渉している又は干渉する可能性があることを決定することができる。例えば、アクセスポイント２０２は、アクセスポイント２０４がアクセスポイント２０２の通信に干渉する可能性があることを決定するために、エアインタフェースを通じてアクセスポイント２０４から信号を受信し、範囲内のアクセスポイント、例えばアクセスポイント２０４、に関して１つ以上の無線デバイスから情報を受信し、アクセスポイント２０２に対するアクセスポイント２０４の相対的な位置に関してコアネットワークから情報を受信し、有線バックホールリンクを通じてアクセスポイント２０４から１つ以上のメッセージを受信すること、及び／又は同類のことができる。
【００４０】
一例においては、アクセスポイント２０２は、マクロセルであることができるアクセスポイント２０４によってサービスが提供されるカバレッジ内で動作するフェムトセルであることができ、又はその逆であることができる。他の例においては、アクセスポイント２０２及び２０４の両方が、互いに対して干渉を引き起こす可能性があるような位置に配置されているフェムトセルアクセスポイントであることができる。説明されるように、アクセスポイント２０２及び２０４は、各々のエアインタフェース通信コンポーネント２０８及び２１４を通じて互いに通信することができ、それは、無線デバイスに無線ネットワークアクセスを提供するためにそれらと通信するために利用されるのと同じエアインタフェースであることができる。アクセスポイント２０２が、アクセスポイント２０４からの可能性のある干渉を決定するか又はその逆である場合は、アクセスポイント２０２及び２０４は、互いに干渉せずに１つ以上の無線デバイスと各々通信するための分散型リソース割り当てを確立するために通信することができる。
【００４１】
一例においては、パラメータ測定コンポーネント３０６は、無線ネットワークでの通信に関する１つ以上のパラメータを決定することができる。例えば、パラメータ測定コンポーネント３０６は、アクセスポイント２０２での１つ以上の無線デバイスとの通信に関する１つ以上のバッファレベル、１つ以上の無線デバイスとの通信のタイプ（例えば、音声、データ、メディアストリーミング、等）、アクセスポイント２０２における通信負荷又はその他のトラフィック関連パラメータ、無線ネットワーク内の１つ以上の異種のアクセスポイントと比較した場合のアクセスポイント２０２の割り当てられた優先度、希望される又は要求されるリソース割り当てサイズ、明示のリソース割り当て、及び／又は同類のことを取り出すことができる。この例においては、リソース交渉コンポーネント３０８は、リソース割り当て要求においてエアインタフェース通信コンポーネント２０８を用いてアクセスポイント２０４に１つ以上のパラメータを提供することができる。
【００４２】
リソース交渉受信コンポーネント３１２は、アクセスポイント２０２からリソース割り当て要求を入手することができ及び要求内の１つ以上のパラメータを入手することができる。リソース割り当てコンポーネント３１４は、１つ以上のパラメータに少なくとも部分的に基づいて接続された無線デバイスと通信するのを容易にするためにアクセスポイント２０２のための可能性のあるリソース割り当てを決定することができる。例えば、１つ以上のパラメータが１つ以上の無線デバイスと通信することに関するバッファレベルを含む場合は、リソース割り当てコンポーネント３１４は、１つ以上の無線デバイスと有効に通信するためにアクセスポイント２０２のためのリソース要求を識別することができる。例えば、１つ以上の無線デバイスとの通信の高いバッファレベル及び／又は一定のタイプは、アクセスポイント２０２が１つ以上の無線デバイスにデータを通信するための大きなリソースの割り当てを要求するのを示すことができ、リソース割り当てコンポーネント３１４は、１つ以上の無線デバイスと通信するために幾つかのリソースをアクセスポイント２０２に適宜割り当てることができる。
【００４３】
リソース交渉受信コンポーネント３１２で受信された１つ以上のパラメータがアクセスポイント２０２における通信負荷を含む場合は、リソース割り当てコンポーネント３１４は、より大きい通信負荷のためのより多くの数のリソースを割り当てることができる。リソース割り当て要求においてリソース交渉受信コンポーネント３１２で受信された１つ以上のパラメータがアクセスポイント２０２の優先度に関連する場合は、リソース割り当てコンポーネント３１４は、アクセスポイント２０４及び／又は１つ以上の追加のアクセスポイントと比較したときのアクセスポイント２０２の優先度に基づいてリソース割り当てを決定することができる。従って、例えば、アクセスポイント２０２がアクセスポイント２０４よりも高い優先度を有する場合は、リソース割り当てコンポーネント３１４は、アクセスポイント２０４のために残されたよりも多くのリソースを含むアクセスポイント２０２のためのリソース割り当てを生成することができる。１つ以上のパラメータがアクセスポイント２０２からの明示の帯域幅要求に関するものである場合は、リソース割り当てコンポーネント３１４は、帯域幅要求に対応するアクセスポイント２０２のための一組のリソースを選択することができる。リソーススケジューリングコンポーネント３１６は、エアインタフェース通信コンポーネント２１４を通じてアクセスポイント２０２に割り当てられたリソースを通信することができ、及び、リソース受信コンポーネント３１０は、エアインタフェース通信コンポーネント２０８を通じて通信を入手することができる。アクセスポイント２０２は、説明されるように、１つ以上の無線デバイスと通信する際に示された割り当てられたリソースを利用することができる。
【００４４】
リソース割り当てコンポーネント３１４は、アクセスポイント２０２と１つ以上の異種のアクセスポイントとの間でセル間リソース調整を提供する際に分散型リソース割り当てアルゴリズムを利用できることが評価されるべきである。例えば、リソース交渉受信コンポーネント３１２は、その他のアクセスポイント（示されていない）からリソース割り当て要求を同様に入手することができ、従って、リソース割り当てコンポーネント３１４は、その他のアクセスポイント、アクセスポイント２０２、及びそれ自体の間でのリソース割り当てを管理することができる。説明されるように、リソース交渉受信コンポーネント３１２において受信されたリソース割り当て要求が各々のアクセスポイントの優先度を含む場合は、リソース割り当てコンポーネント３１４は、利用可能なリソースを優先度に従ってアクセスポイントに分配することができる（例えば、より高い優先度のアクセスポイントは、より大きいリソースの割り当てを受ける）。同様に、バッファレベル又は明示の帯域幅要求、等がリソース割り当て要求において受信された場合は、リソース割り当てコンポーネント３１４は、そのように処理するアクセスポイントにリソースを割り当てることができる。
【００４５】
他の例においては、パラメータ測定コンポーネント３０６は、１つ以上の周辺のアクセスポイント（示されていない）からの干渉を決定することができ、及び、リソース交渉コンポーネントは、アクセスポイント２０４への干渉に関する１つ以上のパラメータを追加で提供することができる。リソース交渉受信コンポーネント３１２は、アクセスポイント２０２における干渉に関する１つ以上のパラメータを受信することができ、及び、リソース割り当てコンポーネント３１４は、１つ以上のパラメータに基づいてリソース割り当てを追加で生成することができる。従って、１つ以上のパラメータが、しきいレベルを上回る異種のアクセスポイントとの干渉レベルに関するものである場合は、リソース割り当てコンポーネント３１４は、アクセスポイント２０２及び異種のアクセスポイントに対して同様のリソースをスケジューリングするのを回避することができる。この点に関して、例えば、リソース割り当てコンポーネント３１４は、互いとの干渉に基づいて複数のアクセスポイントを関連づけるジャミンググラフ（ｊａｍｍｉｎｇ  ｇｒａｐｈ）又は類似の一組の制約を生成することができる。このグラフ又は制約は、複数のアクセスポイントでの干渉に関する１つ以上のパラメータに基づいて生成することができる。従って、リソース割り当てコンポーネント３１４は、ジャミンググラフ又は制約の組により干渉するアクセスポイントをスケジューリングしないようにするためにリソーススケジューリングを変更することによって複数のアクセスポイント間での干渉を軽減することができる。一例においては、パラメータ測定コンポーネント３０６は、ＬＴＥにおいて定義されるように、拡張されたスケジューリング要求メッセージでアクセスポイント２０２に該干渉情報を送信することができる。
【００４６】
要求された又は決定されたリソース割り当てを適切に処理するための十分なリソースを利用できない場合は、リソース割り当てコンポーネント３１４は、例えば、要求された又は決定されたリソース割り当てに少なくとも部分的に基づいてリソースを比例配分的に割り当てることができる。さらに、リソース割り当てコンポーネント３１４は、新たなアクセスポイントからリソース割り当て要求を受信した時点でアクセスポイントへの現在の割り当てを調整することができる（例えば、実質的に全リソースが割り当てられているか又は割り当てられる場合）。他の例においては、アクセスポイント２０２及び２０４は、いずれのアクセスポイントがリソースを割り当てるか（この例においてはアクセスポイント２０４）を決定するために通信することができる。例えば、アクセスポイント２０２及び２０４は、構成、仕様、ハードコーディング、及び／又は同類のものにより、１つ以上のローカルパラメータ、例えば、タイプ、優先度、識別子（例えば、グローバルセル識別子（ＧＣＩ）、など）、及び／又は同類のものを比較することに基づいてそのように決定することができる。
【００４７】
一例においては、パラメータ測定コンポーネント３０６は、該比較のためにアクセスポイント２０４に１つ以上のローカルパラメータを提供することができ（及び、アクセスポイント２０４もパラメータ測定コンポーネント３０６を備える場合はその逆も可能）又はアクセスポイント２０４の１つ以上のローカルパラメータを受信することができる。従って、例えば、パラメータ測定コンポーネント３０６は、アクセスポイント２０４の１つ以上のローカルパラメータをそれ自体のローカルパラメータと比較することに基づいてリソースを割り当てるか又は割り当てを要求するかを決定することができる。例えば、アクセスポイント２０２又は２０４がマクロセルタイプのアクセスポイントである場合は、それは、リソースを割り当てる責任を有することができる。他の例においては、説明されるように、より高い優先度又は識別子を有するアクセスポイントは、リソースを割り当てる責任を有することができ、及び、他方のアクセスポイントは、リソース割り当て要求を送信することができる。さらに、例えば、エアインタフェース通信コンポーネント２０８は、アクセスポイント２０４と通信するためにスロータイムスケール不連続受信（ｓｌｏｗ  ｔｉｍｅ−ｓｃａｌｅ  ｄｉｓｃｏｎｔｉｎｕｏｕｓ  ｒｅｃｅｉｖｅ）（ＤＲＸ）モードを利用することができ、ここで、アクセスポイント２０２は、リソースを要求する際にＵＥのように行動する。この点に関して、アクセスポイント２０２は、アクセスポイント２０４と通信するごとにそれへの初期アクセスを行う必要がない。他の例においては、リソース交渉コンポーネントは、エアインタフェースを通じてアクセスポイント２０４と通信するために予め決定された通信期間及び／又は間隔をさらに交渉することができる。さらに、例えば、エアインタフェース通信コンポーネント２０８は、１つ以上の異種のアクセスポイントがアクセスポイント２０４と通信するのを可能にするためにアクセスポイント２０４と通信するときにランダムバックオフ（ｒａｎｄｏｍ  ｂａｃｋｏｆｆ）方式を実装することができる。
【００４８】
今度は図４を参照し、アクセスポイントの干渉を軽減するためにリソースを割り当てるのを容易にする無線通信システム例４００が示される。システム４００は、説明されるように、アクセスポイント２０２と２０４とを含み、それらは、マクロセル、フェムトセル、又はピコセルアクセスポイント、基地局、又はその他のｅＮＢ、例えば、モバイルデバイス、又はその一部分、又は、無線ネットワークへのアクセスを１つ以上の無線デバイスに提供する実質上あらゆるデバイスであることができる。さらに、アクセスポイント２０２及び２０４は、類似の又は異種のタイプであることができ及び例えば提供されたネットワークアクセスを向上させるために互いに通信することができる。システム４００は、アクセスポイント２０２から無線ネットワークアクセスを受信することができる無線デバイス４０２を含むことも可能である。無線デバイス４０２は、モバイルデバイス、ＵＥ、テザード（ｔｅｔｈｅｒｅｄ）デバイス（例えば、モデム）、リレーノード、及び／又は無線ネットワークへのアクセスを受信する実質上あらゆるデバイスであることができる。さらに、システム４００は、ＭＩＭＯシステムであることができ及び／又は１つ以上の無線ネットワークシステム仕様（例えば、ＥＶ−ＤＯ、３ＧＰＰ、３ＧＰＰ２、３ＧＰＰ  ＬＴＥ、ＷｉＭＡＸ、等）に準拠することができ及びアクセスポイント２０２及び２０４と無線デバイス４０２との間での通信を容易にするための追加のコンポーネントを備えることができる。さらに、例えば、アクセスポイント２０２は、その他のアクセスポイント又は無線デバイスに同様の機能を提供するためにアクセスポイント２０４のコンポーネントを含むことができ及び／又はその逆であることができる。
【００４９】
アクセスポイント２０２は、説明されるように、１つ以上の無線デバイスからリソース割り当て要求を入手するリソース要求受信コンポーネント４１０と、１つ以上の無線デバイスと通信するために異種のアクセスポイントへのリソース要求を生成するリソース要求コンポーネント４１２と、異種のアクセスポイントからリソース割り当てを入手するリソース受信コンポーネント３１０と、異種のアクセスポイントからのリソース割り当てに基づいて１つ以上の無線デバイスにリソース割り当てを提供することができるリソーススケジューリングコンポーネント４１４と、エアインタフェースを通じて１つ以上の無線デバイス及び異種のアクセスポイントにデータを送信すること及び１つ以上の無線デバイス及び異種のアクセスポイントからデータを受信することを容易にするエアインタフェース通信コンポーネント２０８と、を含むことができる。
【００５０】
アクセスポイント２０４は、説明されるように、１つ以上の異種のアクセスポイントからリソース割り当て要求を入手するリソース要求受信コンポーネント４１６と、要求に基づいて１つ以上の異種のアクセスポイントに一組のリソースを割り当てるリソーススケジューリングコンポーネント３１６と、エアインタフェースを通じて１つ以上の無線デバイス及び異種のアクセスポイントにデータを送信すること及び１つ以上の無線デバイス及び異種のアクセスポイントからデータを受信することを容易にするエアインタフェース通信コンポーネント２１４と、を含むことができる。無線デバイス４０２は、アクセスポイントと通信するためにリソース要求を生成してそれに送信するリソース要求コンポーネント４０４と、アクセスポイントからリソース割り当てを入手するリソース受信コンポーネント４０６と、関連するメッセージをアクセスポイントに送信する及び／又はアクセスポイントから受信するエアインタフェース通信コンポーネント４０８と、を備える。
【００５１】
一例により、アクセスポイント２０２は、アクセスポイント２０４がアクセスポイント２０２及び／又は１つ以上の無線デバイスの間での通信に実際に干渉している又は干渉する可能性があることを決定することができる。一例においては、説明されるように、アクセスポイント２０２は、マクロセルであることができるアクセスポイント２０４によってサービスが提供されるカバレッジエリア内で動作するフェムトセルであることができ、又はその逆であることができる。他の例においては、アクセスポイント２０２及び２０４の両方が、それらが互いに対して干渉を引き起こす可能性があるような位置に配置されているフェムトセルアクセスポイントであることができる。説明されるように、アクセスポイント２０２及び２０４は、各々のエアインタフェース通信コンポーネント２０８及び２１４を通じて互いに通信することができ、それらは、無線デバイスに無線ネットワークアクセスを提供するためにそれらと通信するために利用されるのと同じエアインタフェースであることができる。アクセスポイント２０２が、アクセスポイント２０４からの可能性のある干渉を決定する場合は、それは、１つ以上の無線デバイスと通信するためのリソースを要求するためにそれと通信することができる。
【００５２】
一例においては、リソース要求コンポーネント４０４は、アクセスポイント２０２と通信するためのリソース要求を生成することができ及びアクセスポイント２０２にメッセージを送信するためにエアインタフェース通信コンポーネント４０８を利用することができる。リソース要求受信コンポーネント４１０は、エアインタフェース通信コンポーネント２０８を通じて無線デバイス４０２から要求を入手することができる。リソース要求コンポーネント４１２は、エアインタフェース通信コンポーネント２０８を用いてアクセスポイント２０４にリソースを同様に要求することができる。リソース要求受信コンポーネント４１６は、アクセスポイント２０２から要求を入手することができ、リソーススケジューリングコンポーネント３１６は、エアインタフェース通信コンポーネント２１４を通じてアクセスポイント２０２にリソース割り当てを提供することができる。説明されるように、リソース要求コンポーネント４１２は、一組のリソース、リソース割り当てサイズ、無線デバイス４０２からの通信のタイプ（例えば、データ、音声、メディアストリーミング、等）、及び／又は１つ以上の同様のパラメータを指定することができる。リソーススケジューリングコンポーネント３１６は、１つ以上のパラメータに基づいてリソースを割り当てることができる。
【００５３】
リソース受信コンポーネント３１０は、エアインタフェース通信コンポーネント２０８を通じてアクセスポイント２０４からリソース割り当てを入手することができ、リソーススケジューリングコンポーネント４１４は、無線デバイス４０２をスケジューリングするためにリソース割り当てを利用することができる。一例においては、リソーススケジューリングコンポーネント４１４は、エアインタフェース通信コンポーネント２０８を通じてアクセスポイント２０２と通信するために無線デバイス４０２にリソース割り当ての少なくとも一部を提供することができる。リソース受信コンポーネント４０６は、リソース割り当ての少なくとも一部を入手することができ、無線デバイス４０２は、リソース割り当ての少なくとも一部内のリソースでエアインタフェース通信コンポーネント４０８を用いてアクセスポイント２０２と通信することができる。
【００５４】
従って、アクセスポイント２０４は、リソース割り当てを通じての送信を空ける（ｖａｃａｔｅ）又はブランキングする。一例においては、リソース要求コンポーネント４１２及びリソース受信コンポーネント３１０は、アクセスポイント２０２の共配置された無線デバイス（例えば、共配置されたＵＥ）の一部であることができる。この点に関して、アクセスポイント２０４にリソースを要求した時点で、アクセスポイント２０４は、共配置されたＵＥからの通信のためにリソースを空ける。しかしながら、アクセスポイント２０２は、空けられたリソースを無線デバイス４０２との通信のスケジューリングのために用いる。従って、既存のリソース要求及び許可手順を、この点に関してアクセスポイント間でリソースでのブランキングを要求するのを容易にするために利用することができる。
【００５５】
一例においては、リソース要求コンポーネント４１２によって送信されたリソース要求は、希望される又は要求される割り当てに関する１つ以上のパラメータ、例えば、一組のリソース、リソース割り当てサイズ、無線デバイス４０２からの通信のタイプ（例えば、データ、音声、メディアストリーミング、等）、を指定することができる。例えば、リソース要求コンポーネント４１２は、無線デバイス４０２から受信されたリソース要求に少なくとも部分的に基づいて１つ以上のパラメータを生成することができる。リソース要求受信コンポーネント４１６は、１つ以上のパラメータをリソーススケジューリングコンポーネント３１６に提供することができ、それは、それらの１つ以上のパラメータ及び／又はその他のアクセスポイント及び／又はそれらと通信する無線デバイスに関する１つ以上の同様のパラメータに少なくとも部分的に基づいてリソース割り当てを決定することができる。従って、例えば、１つ以上のパラメータが通信のタイプに関するものである場合は、リソース要求コンポーネント４１２は、通信のタイプのために要求されるリソース割り当てサイズを決定又は推定することができ、又は、リソーススケジューリングコンポーネント３１６は、リソース要求コンポーネント４１２が通信のタイプをアクセスポイント２０４に提供するかどうかに基づいてそのように決定することができる。
【００５６】
いずれの場合においても、リソーススケジューリングコンポーネント３１６は、通信のタイプに関して要求されるリソース割り当てサイズ、要求されるリソース割り当てサイズ、要求されるリソース割り当て、及び／又は同類のものに少なくとも部分的に基づいてリソース割り当てを決定することができる。さらに、リソーススケジューリングコンポーネント３１６は、アクセスポイント２０２に対して及び／又は１つ以上の異種のアクセスポイントに対して割り当てられたその他のリソースを考慮することができる。例えば、アクセスポイント２０４がスレショルドの数のリソースを割り当てている場合は、それは、無線デバイス４０２に関連するアクセスポイント２０２のためのリソース割り当てに対処するためにアクセスポイント２０２及び／又は異種のアクセスポイントにリソースを再分配することができる。いずれの場合も、アクセスポイント２０２は、無線デバイス４０２と通信するためのリソースを要求することによってアクセスポイント２０４にリソースのブランキングを要求することができる。
【００５７】
図５を参照し、サービスを提供するアクセスポイントによる同調外し（ｔｕｎｅ  ａｗａｙ）のために無線デバイスを準備するのを容易にする無線通信システム例５００が示される。システム５００は、説明されるように、アクセスポイント２０２と２０４とを含み、それらは、マクロセル、フェムトセル、又はピコセルアクセスポイント、基地局、又はその他のｅＮＢ、例えば、モバイルデバイス、又はその一部分、又は、無線ネットワークへのアクセスを１つ以上の無線デバイスに提供する実質上あらゆるデバイスであることができる。さらに、アクセスポイント２０２及び２０４は、類似の又は異種のタイプであることができ及び例えば提供されたネットワークアクセスを向上させるために互いに通信することができる。システム５００は、アクセスポイント２０２から無線ネットワークアクセスを受信することができる無線デバイス４０２を含むことも可能である。無線デバイスは、モバイルデバイス、ＵＥ、テザードデバイス（例えば、モデム）、リレーノード、及び／又は無線ネットワークへのアクセスを受信する実質上あらゆるデバイスであることができる。さらに、システム５００は、ＭＩＭＯシステムであることができ及び／又は１つ以上の無線ネットワークシステム仕様（例えば、ＥＶ−ＤＯ、３ＧＰＰ、３ＧＰＰ２、３ＧＰＰ  ＬＴＥ、ＷｉＭＡＸ、等）に準拠することができ及びアクセスポイント２０２及び２０４と無線デバイス４０２との間での通信を容易にするための追加のコンポーネントを備えることができる。
【００５８】
無線デバイス４０２は、いっしょに又は代替で存在する及び／又は機能することができる１つ以上のコンポーネントを含むことができる。例えば、無線デバイス４０２は、例示されたコンポーネントのうちの１つ以上を含むことができ、その一方でその他のコンポーネントを有さないことができる。従って、例えば、無線デバイス４０２は、アクセスポイントが１つ以上の異種のアクセスポイントとエアインタフェースを通じて通信する期間に関する１つ以上のパラメータをアクセスポイントから入手する同調外れ受信コンポーネント５０２、無線デバイス４０２がアクセスポイントとの通信を回避することができる測定ギャップをアクセスポイントから入手する測定ギャップ受信コンポーネント５０４、無線デバイス４０２にＤＲＸモードに入らせるコマンドをアクセスポイントから入手するＤＲＸモードコマンド受信コンポーネント５０６、経過した場合にアクセスポイントとの無線リンクが失敗していると無線デバイス４０２が想定することができる不活動期間に関連する無線リンク失敗（ＲＬＦ）タイマをアクセスポイントから入手するＲＬＦタイマ受信コンポーネント５０８、及び／又は、アクセスポイントからの電力のステップバック（ｓｔｅｐ  ｂａｃｋ）を決定する電力フェード検出コンポーネント５１０を備えることができる。無線デバイス４０２は、エアインタフェースを通じてアクセスポイントにデータを送信する及びアクセスポイントからデータを受信するエアインタフェース通信コンポーネント４０８をさらに含むことができる。
【００５９】
アクセスポイント２０２は、１つ以上のコンポーネントを備えることができ、それらは、代替において又は連携して同様に存在することができる。従って、アクセスポイント２０２は、アクセスポイント２０２が異種のアクセスポイントと通信する（例えば、送信するか又は受信する）期間に関して非レガシー無線デバイスに命令する同期外れ通知コンポーネント５１２、無線デバイスがアクセスポイント２０２と通信すべきでない期間を示すために無線デバイスに測定ギャップ指示を提供する測定ギャップ指示コンポーネント５１４、ＤＲＸモードに入るように無線デバイスに命令することができるＤＲＸモード指令コンポーネント５１６、無線デバイスと通信することに関連する１つ以上のＲＬＦタイマを設定すること及び１つ以上のＲＬＦタイマをそれに提供することができるＲＬＦタイマコンポーネント５１８、及び／又はある期間中にエアインタフェースを通じて送信電力をステップバックすることができる電力フェージング（ｆａｄｉｎｇ）コンポーネント５２０を備えることができる。アクセスポイント２０２は、エアインタフェースを通じて１つ以上の無線デバイス及び／又はアクセスポイントに信号を送信する又は１つ以上の無線デバイス及び／又はアクセスポイントから信号を受信するエアインタフェース通信コンポーネント２０８を含むこともできる。
【００６０】
説明されるように、アクセスポイント２０２は、エアインタフェース通信コンポーネント２０８を用いてエアインタフェースを通じて無線デバイス４０２と通信することができる。一例により、アクセスポイント２０２は、エアインタフェース通信コンポーネント２０８を用いてエアインタフェースを通じてアクセスポイント２０４とさらに通信することができる。この点に関して、アクセスポイント２０２は、アクセスポイント２０２がエアインタフェースを通じてアクセスポイント２０４と通信中であるときに無線デバイス４０２がアクセスポイント２０２と通信するのを試みないようにするための１つ以上の機能を実行することができる。一例においては、同調外れ通知コンポーネント５１２は、アクセスポイント２０４との通信に関する１つ以上のパラメータ、例えば、１つ以上の通信期間、通信間の時間間隔、及び／又は同類のもの、を生成することができ、及び（例えば、ブロードキャスト信号、レイヤ３（Ｌ３）シグナリング、等において）エアインタフェース通信コンポーネント２０８を通じて無線デバイス４０２に１つ以上のパラメータを送信することができる。同調外れ受信コンポーネント５０２は、１つ以上のパラメータを受信することができ及び１つ以上のパラメータに基づいてエアインタフェース通信コンポーネント４０８（又は無線デバイス４０２の他のコンポーネント）が１つ以上の期間中にアクセスポイント２０２と通信しないようにすることができる。
【００６１】
他の例においては、測定ギャップ指示コンポーネント５１４は、アクセスポイント２０２がアクセスポイント２０４と通信する前に測定ギャップを生成することができ及びエアインタフェース通信コンポーネント２０８を通じて無線デバイス４０２に測定ギャップを送信することができる。測定ギャップ受信コンポーネント５０４は、エアインタフェース通信コンポーネント４０８を通じて測定ギャップを入手することができ及びエアインタフェース通信コンポーネント４０８が測定ギャップ中にアクセスポイント２０２に送信しない又はアクセスポイント２０２からの通信を期待しないようにすることができる。一例においては、無線デバイス４０２は、測定ギャップ中に指定されたデバイスに送信しないように又は指定されたデバイスから受信しないように測定ギャップを処理するための仕組みを含むレガシーデバイスであることができる。
【００６２】
さらに他の例においては、ＤＲＸモード指令コンポーネント５１６は、無線デバイス４０２に対して、アクセスポイント２０２がアクセスポイント２０４と通信する前にＤＲＸモードに入るように命令することができる。ＤＲＸモードコマンド受信コンポーネント５０６は、エアインタフェース通信コンポーネント４０８を通じてＤＲＸモードに入るためのコマンドをアクセスポイント２０２から入手することができる。この点に関して、無線デバイス４０２は、ＤＲＸモードコマンド内の指定された期間中にアクセスポイント２０２から通信を受信するようにコマンドに基づいてＤＲＸモードに入ることができる。一例においては、ＤＲＸモードコマンドは、コマンドを受信した時点で、１つ以上の後続する期間中に、時間間隔に従って、及び／又は同類のときにＤＲＸモードに入るように指定することができる。
【００６３】
さらに、一例においては、ＲＬＦタイマコンポーネント５１８は、無線デバイス４０２がＲＬＦを決定することなしにアクセスポイント２０２がアクセスポイント４０２と通信するための十分な時間を可能にするために無線デバイス４０２と通信することに関するＲＬＦタイマを設定することができる。ＲＬＦタイマコンポーネント５１８は、エアインタフェース通信コンポーネント２０８を用いて無線デバイス４０２にＲＬＦタイマを提供することができ、及び、ＲＬＦタイマ受信コンポーネント５０８は、ＲＬＦタイマを入手することができる。ＲＬＦタイマ受信コンポーネント５０８は、無線デバイス４０２においてＲＬＦタイマを設定することができる。従って、例えば、アクセスポイント２０２は、アクセスポイント２０４と通信するために無線デバイス４０２及び／又はその他の無線デバイスとの通信のための同調を外れることができる。同調を外れることは、例えば、異種の周波数で通信することを意味することができる。無線デバイス４０２は、（例えば、アクセスポイント２０２からの応答パケット、パイロット信号、基準信号、及び／又は同類のものの受信失敗に基づいて）同調から外されたときにアクセスポイント２０２との可能性のあるＲＬＦを検出することができる。可能性のあるＲＬＦを検出した時点で、無線デバイス４０２は、受信されたＲＬＦタイマ値においてＲＬＦタイマを初期化することができる。その値が、アクセスポイント２０２がアクセスポイント２０４と通信するのを可能にするため、アクセスポイント２０２は、無線デバイス４０２に再同調（ｔｕｎｅｂａｃｋ）することができ、及び無線デバイス４０２は、例えば、ＲＬＦタイマの時間切れ前にリンクを検出することができる。
【００６４】
さらなる例においては、電力フェージングコンポーネント５２０は、アクセスポイント２０４と通信する前にチャネルフェードをエミュレートするために無線デバイス４０２に通信するときに送信電力のフェージングを開始することができる。電力フェード検出コンポーネント５１０は、アクセスポイント２０２がアクセスポイント２０４と通信中に又は通信する前に送信電力の低下を検出して通信をチャネルフェードとして処理することができる。従って、示されるように、それらのコンポーネント及び機能のうちの１つ以上を、アクセスポイント２０２がエアインタフェースを通じてアクセスポイント２０４と通信することによって引き起こされる可能性がある無線デバイス４０２に対する混乱を軽減するために利用することができる。さらに、上記のコンポーネント及び機能は、例えば、アクセスポイント２０２によるその他の同期外れのために、例えば、自己同期化、自己最適化ネットワーク（ＳＯＮ）測定、等、のために利用することもできる。
【００６５】
図６乃至９を参照し、エアインタフェースを通じてのアクセスポイント間通信に関する方法が示される。説明の単純化を目的として、方法は、一連の行為として示されて説明される一方で、幾つかの行為は、１つ以上の態様により、ここにおいて示されて説明される順序と異なる順序で及び／又はその他の行為と同時並行して生じることができるため、それらの方法は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、１つ以上の態様により方法を実装するためにすべての例示される行為が要求されるわけではない。
【００６６】
図６を参照し、同じエアインタフェースを通じてＵＥにサービスを提供し及びその他のｅＮＢと通信するのを容易にする方法例６００が示される。６０２において、エアインタフェースを通じて１つ以上のＵＥと通信することができる。これは、説明されるように、１つ以上のＵＥから通信を受信するためにそれらにリソースを割り当てることを含むことができる。６０４において、エアインタフェースを通じて１つ以上のｅＮＢと通信することができる。一例においては、これは、１つ以上のｅＮＢが１つ以上のＵＥへの通信と干渉することがある場合に１つ以上のｅＮＢにリソース割り当てを要求すること又は交渉することを含むことができる。さらに、この点に関して、１つ以上のｅＮＢと通信することは、説明されるように、リソース割り当てを要求又は交渉すること、リソース割り当てを受信すること、及び／又は同類のことに関するパラメータを提供することを含むことができる。さらに、有線バックホールリンクを通じて１つ以上のｅＮＢとさらに通信することができる。さらに、一例においては、１つ以上のＵＥと通信することは、１つ以上のＵＥによるＲＬＦタイプの行動を軽減するために１つ以上のｅＮＢと通信するために同調を外れるために１つ以上のＵＥを準備することを含むことができる。
【００６７】
図７を参照し、エアインタフェースを通じて１つ以上のｅＮＢとリソースを交渉するのを容易にする方法例７００が示される。７０２において、エアインタフェース通信範囲内の１つ以上のｅＮＢを決定することができる。例えば、これは、１つ以上のｅＮＢから受信された信号、１つ以上のサービスが提供されたＵＥから受信された情報、及び／又は同類のものを検出することにより決定することができる。７０４において、エアインタフェースを通じて１つ以上のｅＮＢと１つ以上のリソース割り当てを交渉することができる。例えば、これは、説明されるように、１つ以上のｅＮＢにリソース割り当てを要求することを含むことができる。要求内には、１つ以上のパラメータ、例えば、リソースが要求されるときの通信のタイプ、リソース割り当てサイズ、一定のリソースの明示の要求、優先度、タイプ、識別子、通信負荷、及び／又は同類のもの、を指定することができる。同様に、説明されるように、例えば、リソース割り当てを交渉することは、１つ以上のｅＮＢから該パラメータを受信することと、パラメータに基づいてリソース割り当て機能を適用すること、とを含むことができる。この点に関して、１つ以上のリソース割り当てを交渉することは、説明されるように、パラメータを考慮して割り当てを提供及び／又は受信することを含むことができる。
【００６８】
図８を参照し、エアインタフェースを通じて１つ以上のｅＮＢにリソースを割り当てるのを容易にする方法例８００が示される。８０２において、リソース割り当て要求は、エアインタフェースを通じて１つ以上のｅＮＢから受信することができる。８０４において、要求内の１つ以上のパラメータに少なくとも部分的に基づいて１つ以上のｅＮＢのために一組のリソースを決定することができる。説明されるように、１つ以上のパラメータを、１つ以上のｅＮＢ及び／又は１つ以上のｅＮＢと１つ以上のＵＥとの間での通信と関連させることができる。例えば、１つ以上のパラメータは、１つ以上のＵＥと通信することに関連するバッファレベル、１つ以上のＵＥとの通信のタイプ（例えば、音声、データ、ストリーミングメディア、等）、１つ以上のｅＮＢのタイプ又は優先度、その他のｅＮＢからの１つ以上のｅＮＢでの干渉に関する１つ以上のパラメータ、及び／又は同類のものを含むことができる。
【００６９】
例えば、８０４において、リソースの組は、それらのリソースがバッファレベル、通信のタイプ、及び／又は同類のものによりデータを送信するのに適するように決定することができる。さらに、例えば、リソースの組は、その他のｅＮＢに関する類似のパラメータにさらに基づいて８０４において決定することができる。例えば、リソースは、説明されるように、より高い優先度を有するｅＮＢがより多くのリソースを受け取るように複数のｅＮＢの優先度を比較することによって決定することができる。８０６において、リソースの組は、１つ以上のｅＮＢに提供することができる。
【００７０】
図９を参照し、ｅＮＢ間での通信のために同調を外れるときに１つ以上のＵＥを初期化するのを容易にする方法例９００が示される。９０２において、１つ以上のｅＮＢと通信するために同調を外れるために１つ以上のＵＥを準備することができる。説明されるように、これは、測定ギャップ、ＤＲＸモードコマンド、又はＲＬＦタイマを１つ以上のＵＥに送信することを含むことができる。他の例においては、これは、１つ以上のｅＮＢと通信することに関連する期間又は時間間隔に関する明示の情報を提供することを含むことができる。さらに他の例においては、これは、チャネルフェードをエミュレートするために１つ以上のＵＥへの送信電力をフェージングすることを含むことができる。いずれの場合も、９０４において、同調を外れることによって１つ以上のｅＮＢと通信することができる。従って、ＵＥは、１つ以上のｅＮＢと通信するために同調を外れることに関連する期間中に通信することを回避することができる。
【００７１】
ここにおいて説明される１つ以上の態様により、１つ以上の分散型リソース割り当てを決定すること、同調外れのためにＵＥを準備すること、及び／又は同類のことに関して推論を行うことができることが評価されるであろう。ここにおいて用いられる場合において、用語“推論する”又は“推論”は、概して、システム、環境、及び／又はユーザの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータソースからのものであるかどうかを問わない。
【００７２】
図１０を参照し、同じエアインタフェースを通じてＵＥにサービスを提供し及びｅＮＢと通信するためのシステム１０００が示される。例えば、システム１０００は、無線ネットワークコンポーネント内に少なくとも部分的に常駐することができる。システム１０００は、プロセッサ、ソフトウェア、又はそれらの組み合わせ（例えば、ファームウェア）によって実装された機能を表す機能ブロックであることができる機能ブロックを含むものとして表されることが評価されるべきである。システム１０００は、連携して動作することができる電気的コンポーネントから成る論理グループ１００２を含む。例えば、論理グループ１００２は、１つ以上のｅＮＢのためのメッセージを生成するための電気的コンポーネント１００４を含むことができる。説明されるように、メッセージは、１つ以上のｅＮＢにリソース割り当てを要求するか又は交渉するために生成することができる１つ以上の干渉管理メッセージ、該要求に対する応答、及び／又は同類のものであることができる。さらに、論理グループ１００２は、エアインタフェースを通じて１つ以上のｅＮＢにメッセージを通信し及びエアインタフェースを通じて１つ以上のＵＥに１つ以上の異種のメッセージを通信するための電気的コンポーネント１００６を備えることができる。説明されるように、１つ以上のＵＥと通信することは、無線ネットワークアクセスによって１つ以上のＵＥにサービスを提供することを含むことができ、さらに、異種のメッセージは、説明されるように、１つ以上のｅＮＢと通信するために電気的コンポーネント１００６が同調を外れるために１つ以上のＵＥを準備するための１つ以上のメッセージ又は関連パラメータを含むことができる。
【００７３】
さらに、論理グループ１００２は、１つ以上の干渉管理メッセージを１つ以上のｅＮＢに通信するのを決定するための電気的コンポーネント１００８を含むことができる。例えば、電気的コンポーネント１００８は、１つ以上のｅＮＢに関する１つ以上のパラメータに基づいてそのように決定することができる。一例においては、パラメータは、説明されるように、１つ以上のｅＮＢのタイプ、識別子、優先度、通信負荷、及び／又は同類のもの（及び／又はシステム１０００又は関連するｅＮＢの同様のパラメータ）を含むことができる。従って、一例においては、１つ以上のｅＮＢがマクロセルアクセスポイントを含み、システム１０００がフェムトセルアクセスポイントに対応するか又はフェムトセルアクセスポイント内に実装される場合は、電気的コンポーネント１００８は、説明されるように、マクロセルアクセスポイントにリソース割り当てを要求すること（及び／又はその逆のこと）を決定することができる。他の例においては、説明されるように、最も低い識別子値を有するアクセスポイントが、リソース、及び／又は同類のものを割り当てることができる。
【００７４】
論理グループ１００２は、１つ以上の異種の干渉管理メッセージ１０１０に応答して一組のブランキングされたリソースの指示を生成するための電気的コンポーネントをさらに含むことができる。従って、例えば、１つ以上の干渉管理メッセージは、ブランキング要求に関するものであることができ及びブランキングを要求することに関する１つ以上のパラメータを含むことができる。さらに、論理グループ１００２は、ブランキングされたリソースの組を決定するための電気的コンポーネント１０１２を含むことができる。従って、説明されるように、ブランキング要求を受信した時点で、１つ以上のｅＮＢのために一組のリソースを割り当てることができる。ブランキングされたリソースの組は、複数のｅＮＢのための分散型割り当てにより及び／又は１つ以上のｅＮＢに関する１つ以上の受信されたパラメータにさらに基づいて決定することができる。説明されるように、１つ以上のｅＮＢに関する１つ以上のパラメータは、例えば、１つ以上のＵＥと通信することに関するバッファレベル、１つ以上のＵＥとの通信のタイプ、要求されるリソース割り当てサイズ又は明示の割り当て詳細、１つ以上のｅＮＢのタイプ、識別子、又は優先度、１つ以上のｅＮＢでの干渉に関する１つ以上のパラメータ、及び／又は同類のものを含むことができる。
【００７５】
さらに、論理グループ１００２は、１つ以上のＵＥへの送信電力をフェージングするための電気的コンポーネント１０１４を含むことができる。従って、一例においては、電気的コンポーネント１０１４は、電気的コンポーネント１００６による同調外れのために１つ以上のＵＥを準備するために、説明されるようにチャネルフェードをエミュレータするためにある期間にわたって１つ以上のＵＥへの送信電力を低減させることができる。さらに、システム１０００は、電気的コンポーネント１００４、１００６、１００８、１０１０、１０１２、及び１０１４と関連づけられた機能を実行するための命令を保持するメモリ１０１６を含むことができる。電気的コンポーネント１００４、１００６、１００８、１０１０、１０１２、及び１０１４は、メモリ１０１６の外部に存在するものとして示される一方で、これらの電気的コンポーネントのうちの１つ以上は、メモリ１０１６内に存在できることが理解されるべきである。
【００７６】
図１１は、ここにおいて説明される機能の様々な態様を実装するために利用することができるシステム１１００のブロック図である。一例においては、システム１１００は、基地局又はｅＮＢ１１０２を含む。示されるように、ｅＮＢ１１０２は、１つ以上の受信（Ｒｘ）アンテナ１１０６を介して１つ以上のＵＥ１１０４から信号を受信し、１つ以上の送信（Ｔｘ）アンテナ１１０８を介して１つ以上のＵＥ１１０４に送信することができる。さらに、ｅＮＢ１１０２は、受信アンテナ１１０６から情報を受信する受信機１１１０を備えることができる。一例においては、受信機１１１０は、受信された情報を復調する復調器（Ｄｅｍｏｄ）１１１２と動作可能な形で関連づけることができる。復調されたシンボルは、プロセッサ１１１４によって解析することができる。プロセッサ１１１４は、メモリ１１１６に結合することができ、それは、符号クラスタ、アクセス端末割り当て、それに関連するルックアップテーブル、一意のスクランブリングシーケンス、及び／又はその他の適切なタイプの情報を格納することができる。一例においては、ｅＮＢ１１０２は、方法６００、７００、８００、９００、及び／又はその他の同様の及び該当する方法を実行するためにプロセッサ１１１４を採用することができる。ｅＮＢ１１０２は、送信アンテナ１１０８を通じての送信機１１２０による送信のために信号を多重化することができる変調器１１１８を含むこともできる。
【００７７】
図１２は、ここにおいて説明される機能の様々な態様を実装するために利用することができる他のシステム１２００のブロック図である。一例においては、システム１２００は、モバイル端末１２０２を含む。示されるように、モバイル端末１２０２は、１つ以上の基地局１２０４から信号を受信し、１つ以上のアンテナ１２０８を介して１つ以上の基地局１２０４に送信することができる。さらに、モバイル端末１２０２は、アンテナ１２０８から情報を受信する受信機１２１０を備えることができる。一例においては、受信機１２１０は、受信された情報を復調する復調器（ｄｅｍｏｄ）１２１２と動作可能な形で関連づけることができる。復調されたシンボルは、プロセッサ１２１４によって解析することができる。プロセッサ１２１４は、メモリ１２１６に結合することができ、それは、モバイル端末１２０２に関連するデータ及び／又はプログラムコードを格納することができる。さらに、モバイル端末１２０２は、方法６００、７００、８００、９００、及び／又はその他の同様の及び該当する方法を実行するためにプロセッサ１２１４を採用することができる。モバイル端末１２０２は、説明される機能を達成するために上述の図において示される１つ以上のコンポーネントを採用することもでき、一例においては、それらのコンポーネントは、プロセッサ１２１４によって実装することができる。モバイル端末１２０２は、アンテナ１２０８を通じての送信機１２２０による送信のために信号を多重化することができる変調器１２１８を含むこともできる。
【００７８】
幾つかの態様においては、ここにおける教示は、マクロ規模のカバレッジを含むネットワーク（例えば、マクロセルネットワークと典型的に呼ばれる、３Ｇネットワーク等の大エリアセルラーネットワーク）及びそれよりも小規模のカバレッジを含むネットワーク（例えば、住宅に基づく又はビルに基づく環境）において採用することができる。アクセス端末（ＡＴ）が該ネットワーク内を移動するのに応じて、アクセス端末には、マクロカバレッジを提供するアクセスノード（ＡＮ）によって一定の位置においてサービスを提供することができ、その一方で、アクセス端末には、それよりも小規模なカバレッジを提供するアクセスノードによってその他の位置においてサービスを提供することができる。幾つかの態様においては、より小規模なカバレッジのノードは、（例えば、より強固なユーザによる体験のために）増分的な容量の増大、建物内のカバレッジ、及び異なるサービスを提供するために用いることができる。ここにおける説明では、相対的に大きなエリアにわたるカバレッジを提供するノードは、マクロノードと呼ぶことができる。相対的に小さいエリア（例えば、住宅）にわたるカバレッジを提供するノードは、フェムトノードと呼ぶことができる。マクロエリアよりも小さく、フェムトエリアよりも大きいエリアにわたるカバレッジを提供するノードは、（例えば、商業ビル内におけるカバレッジを提供する）ピコノードと呼ぶことができる。
【００７９】
マクロノード、フェムトノード、又はピコノードと関連づけられたセルは、マクロセル、フェムトセル、又はピコセルとそれぞれ呼ぶことができる。幾つかの実装においては、各セルは、１つ以上のセクタとさらに関連づける（例えば、１つ以上のセクタに分割する）ことができる。
【００８０】
様々な用途において、マクロノード、フェムトノード、又はピコノードを指し示すためにその他の用語を用いることができる。例えば、マクロノードは、アクセスノード、基地局、アクセスポイント、ｅＮｏｄｅＢ、マクロセル、等として構成すること又はアクセスノード、基地局、アクセスポイント、ｅＮｏｄｅＢ、マクロセル、等と呼ぶことができる。さらに、フェムトノードは、ホームノードＢ、ホームｅＮｏｄｅＢ、アクセスポイント基地局、フェムトセル、等として構成すること又はホームノードＢ、ホームｅＮｏｄｅＢ、アクセスポイント基地局、フェムトセル、等と呼ぶことができる。
【００８１】
図１３は、ここにおける教示を実装することができ、複数のユーザをサポートするように構成される無線通信システム１３００を示す。システム１３００は、複数のセル１３０２、例えば、マクロセル１３０２Ａ乃至１３０２Ｇ、のための通信を提供し、各セルは、対応するアクセスノード１３０４（例えば、アクセスノード１３０４Ａ乃至１３０４Ｇ）によってサービスが提供される。図１３に示されるように、アクセス端末１３０６（例えば、アクセス端末１３０６Ａ乃至１３０６Ｌ）は、経時でシステム全体の様々な位置に分散させることができる。各アクセス端末１３０６は、アクセス端末１３０６がアクティブであるかどうか及びそれが例えばソフトハンドオフであるかどうかに依存して、所定の時点に順方向リンク（ＦＬ）及び／又は逆方向リンク（ＲＬ）で１つ以上のアクセスノード１３０４と通信することができる。無線通信システム１３００は、大きな地理上の地域にわたってサービスを提供することができる。例えば、マクロセル１３０２Ａ乃至１３０２Ｇは、近隣における幾つかのブロックを網羅することができる。
【００８２】
図１４は、ネットワーク環境内において１つ以上のフェムトノードが配備される典型的な通信システム１４００を示す。具体的には、システム１４００は、相対的に小規模なネットワーク環境において（例えば、１つ以上のユーザ住宅１４３０において）設置された複数のフェムトノード１４１０（例えば、フェムトノード１４１０Ａ及びフェムトノード１４１０Ｂ）を含む。各フェムトノード１４１０は、ＤＳＬルータ、ケーブルモデム、無線リンク、又はその他の接続手段（示されていない）を介してワイドエリアネットワーク１４４０（例えば、インターネット）及びモバイルオペレータコアネットワーク１４５０に結合することができる。以下において説明されるように、各フェムトノード１４１０は、関連づけられたアクセス端末１４２０（例えば、アクセス端末１４２０Ａ）及び、任意選択で、エイリアンアクセス端末１４２０（例えば、アクセス端末１４２０Ｂ）にサービスを提供するように構成することができる。換言すると、フェムトノード１４１０へのアクセスは、制限することができ、それにより、所定のアクセス端末１４２０には、一組の指定された（例えば、ホーム）フェムトノード１４１０によってサービスを提供することができるが、指定されていないフェムトノード１４１０（例えば、近隣のフェムトノード１４１０）によってサービスを提供することはできない。
【００８３】
図１５は、幾つかの追跡エリア１５０２（又はルーティングエリア又は位置特定エリア）が画定されているカバレッジマップ１５００の例を示し、それらの各々は、幾つかのマクロカバレッジエリア１５０４を含む。ここで、追跡エリア１５０２Ａ、１５０２Ｂ、及び１５０２Ｃと関連づけられたカバレッジのエリアは、太い線によって画定され、マクロカバレッジエリア１５０４は、六角形によって表される。追跡エリア１５０２は、フェムトカバレッジエリア１５０６も含む。この例において、フェムトカバレッジエリア１５０６の各々（例えば、フェムトカバレッジエリア１５０６Ｃ）は、マクロカバレッジエリア１５０４（例えば、マクロカバレッジエリア１５０４Ｂ）内において描かれている。しかしながら、フェムトカバレッジエリア１５０６は、マクロカバレッジエリア１５０４内に完全には納まらなくてもよいことが評価されるべきである。実際には、所定の追跡エリア１５０２又はマクロカバレッジエリア１５０４とともに非常に多数のフェムトカバレッジエリア１５０６を画定することができる。さらに、所定の追跡エリア１５０２又はマクロカバレッジエリア１５０４内において１つ以上のピコカバレッジエリア（示されていない）を画定することができる。
【００８４】
図１４を再度参照し、フェムトノード １４１０の所有者は、モバイルオペレータコアネットワーク１４５０を通じて提供されるモバイルサービス、例えば、３Ｇモバイルサービス、に加入することができる。さらに、アクセス端末１４２０は、マクロ環境及びそれよりも小規模な（例えば、住宅の）ネットワーク環境の両方において動作することが可能である。換言すると、アクセス端末１４２０の現在位置に依存して、アクセス端末１４２０には、モバイルオペレータコアネットワーク１４５０のアクセスノード１４６０によって又は一組のフェムトノード１４１０のうちのいずれか１つ（例えば、対応するユーザ住宅１４３０内に常在するフェムトノード１４１０Ａ及び１４１０Ｂ）によってサービスを提供することができる。例えば、加入者が自宅外にいるときには、彼は、標準のマクロアクセスノード（例えば、ノード１４６０）によってサービスが提供され、加入者が自宅にいるときには、彼は、フェムトノード（例えば、ノード１４１０Ａ）によってサービスが提供される。ここで、フェムトノードは、既存のアクセス端末１４２０と後方互換可能（ｂａｃｋｗａｒｄ  ｃｏｍｐａｔｉｂｌｅ）であることができることが評価されるべきである。
【００８５】
フェムトノード１４１０は、単一の周波数で、又は代替においては、複数の周波数で、配備することができる。特定の構成に依存して、単一の周波数又は複数の周波数のうちの１つ以上が、マクロノード（例えば、ノード１４６０）によって用いられる１つ以上の周波数と重なり合うことができる。
【００８６】
幾つかの態様においては、アクセス端末１４２０は、好ましいフェムトノード（例えば、アクセス端末１４２０のホームフェムトノード）への接続が可能であるときに常に該接続をするように構成することができる。例えば、アクセス端末１４２０がユーザの住宅１４３０内にあるときには常に、アクセス端末１４２０はホームフェムトノード１４１０のみと通信するのが望ましいであろう。
【００８７】
幾つかの態様においては、アクセス端末１４２０がモバイルオペレータコアネットワーク１４５０内で動作するが（例えば、好ましいフェムトローミングリストにおいて定義された）最も好ましいネットワークにおいて常在していない場合は、アクセス端末１４２０は、ベターシステムリセレクション（Ｂｅｔｔｅｒ  Ｓｙｓｔｅｍ  Ｒｅｓｅｌｅｃｔｉｏｎ（ＢＳＲ）を用いて最も好ましいネットワーク（例えば、好ましいフェムトノード１４１０）を探し続けることができ、それは、より良いシステムが現在利用可能であるかどうかを決定するための利用可能なシステムの定期的な走査と、該好ましいシステムと関連づけるための後続する努力と、を含むことができる。取得の入力（ａｃｑｕｉｓｉｔｉｏｎ  ｅｎｔｒｙ）により、アクセス端末１４２０は、特定の帯域及びチャネルの探索を制限することができる。例えば、最も好ましいシステムの探索を定期的に繰り返すことができる。好ましいフェムトノード１４１０を発見次第、アクセス端末１４２０は、フェムトノード１４１０のカバレッジエリア内にとどまるためにそれを選択する。
【００８８】
幾つかの態様においてはフェムトノードを制限することができる。例えば、所定のフェムトノードは、一定のサービスを一定のアクセス端末に提供することができるだけである。いわゆる制限された（又は閉じられた）関連づけを有する配備においては、所定のアクセス端末には、マクロセルモバイルネットワーク及び定義された一組のフェムトノード（例えば、対応するユーザの住宅１４３０内に常在するフェムトノード１４１０）のみによってサービスを提供することができる。幾つかの実装においては、ノードは、少なくとも１つのノードに関して、シグナリング、データアクセス、登録、ページング、又はサービスのうちの少なくとも１つを提供しないように制限することができる。
【００８９】
幾つかの態様においては、（クローズド加入者グループホームノードＢと呼ぶこともできる）制限されたフェムトノードは、制限された装備された一組のアクセス端末にサービスを提供するそれである。この組は、必要に応じて一時的に又は永久的に拡張することができる。幾つかの態様においては、クローズド加入者グループ（ＣＳＧ）は、アクセス端末の共通のアクセス制御リストを共有するアクセスノード（例えば、フェムトノード）の組であると定義することができる。地域内のすべてのフェムトノード（又はすべての制限されたフェムトノード）が動作するチャネルは、フェムトチャネルと呼ぶことができる。
【００９０】
このように、所定のフェムトノードと所定のアクセス端末との間には様々な関係が存在することができる。例えば、アクセス端末の観点からは、オープンフェムトノードは、制限された関連づけを有さないフェムトノードを意味することができる。制限されたフェムトノードは、何らかの形で制限される（例えば、関連づけ及び／又は登録に関して制限される）フェムトノードを意味することができる。ホームフェムトノードは、アクセス端末がアクセスして動作する権限を付与されたフェムトノードを意味することができる。ゲストフェムトノードは、アクセス端末が、アクセスして動作する権限を一時的に付与されたフェムトノードを意味することができる。エイリアンフェムトノードは、アクセス端末が、おそらく緊急事態（例えば、９１１への電話）以外はアクセスして動作する権限を付与されないフェムトノードを意味することができる。
【００９１】
制限されたフェムトノードの観点からは、ホームアクセス端末は、制限されたフェムトノードにアクセスする権限が付与されたアクセス端末を意味することができる。ゲストアクセス端末は、制限されたフェムトノードへの一時的なアクセスを有するアクセス端末を意味することができる。エイリアンアクセス端末は、おそらく緊急事態、例えば９１１への電話、以外は制限されたフェムトノードにアクセスする許可を有さないアクセス端末（例えば、制限されたフェムトノードに登録するための資格又は許可を有さないアクセス端末）を意味することができる。
【００９２】
便宜上、ここにおける開示は、フェムトノードの状況における様々な機能を説明する。しかしながら、ピコノードは、より大きいカバレッジエリアのために同じ又は同様の機能を提供できることが評価されるべきである。例えば、ピコノードは、制限することができ、ホームピコノードは、所定のアクセス端末に関して定義することができ、以下同様である。
【００９３】
無線多元接続通信システムは、複数の無線アクセス端末のための通信を同時にサポートすることができる。上記のように、各端末は、順方向リンク及び逆方向リンクでの送信を介して１つ以上の基地局と通信することができる。順方向リンク（又はダウンリンク）は、基地局から端末への通信リンクを意味し、逆方向リンク（又はアップリンク）は、端末から基地局への通信リンクを意味する。この通信リンクは、単入力単出力システム、多入力多出力（ＭＩＭＯ）システム、又は何らかのその他のタイプのシステムを介して確立することができる。
【００９４】
ＭＩＭＯシステムは、データ送信のために複数（ＮＴ）の送信アンテナ及び複数（ＮＲ）の受信アンテナを採用する。ＮＴの送信アンテナ及びＮＲの受信アンテナによって形成されるＭＩＭＯチャネルは、空間チャネルとも呼ばれるＮＳの独立したチャネルに分解することができ、ここで、ＮＳ≦ｍｉｎ｛ＮＴ、ＮＲ｝である。ＮＳの独立したチャネルの各々は、１つの次元に対応する。ＭＩＭＯシステムは、複数の送信アンテナ及び受信アンテナによって形成された追加の次元が利用される場合に向上された性能（例えば、より高いスループット及び／又はより高い信頼性）を提供することができる。
【００９５】
ＭＩＭＯシステムは、時分割複信（ＴＤＤ）及び周波数分割複信（ＦＤＤ）をサポートすることができる。ＴＤＤシステムにおいては、順方向リンク送信及び逆方向リンク送信は、同じ周波数領域であり、このため、相互性の原理（ｒｅｃｉｐｒｏｃｉｔｙ  ｐｒｉｎｃｉｐｌｅ）が、逆方向リンクチャネルからの順方向リンクチャネルの推定を可能にする。これは、アクセスポイントにおいて複数のアンテナを利用可能であるときにアクセスポイントが順方向リンクでの送信ビーム形成利得を抽出するのを可能にする。
【００９６】
ここにおける教示は、少なくとも１つのその他のノードと通信するために様々なコンポーネントを採用するノード（例えば、デバイス）内に組み入れることができる。図１６は、ノード間通信を容易にするために採用することができる幾つかのサンプルコンポーネントを描く。具体的には、図１６は、ＭＩＭＯシステム１６００の無線デバイス１６１０（例えば、アクセスポイント）及び無線デバイス１６５０（例えば、アクセス端末）を示す。デバイス１６１０において、幾つかのデータストリームのためのトラフィックデータがデータソース１６１２から送信（ＴＸ）データプロセッサ１６１４に提供される。
【００９７】
幾つかの態様においては、各データストリームは、各々の送信アンテナを通じて送信される。ＴＸデータプロセッサ１６１４は、符号化されたデータを提供するために各データストリームのために選択された特定の符号化方式に基づいてそのデータストリームのためにトラフィックデータをフォーマット化、符号化、及びインターリービングする。
【００９８】
各データストリームのための符号化されたデータは、ＯＦＤＭ技法を用いてパイロットデータと多重化することができる。パイロットデータは、典型的には、既知の方法で処理される既知のデータパターンであり、チャネル応答を推定するために受信機システムにおいて用いることができる。次に、各データストリームのための多重化されたパイロット及び符号化されたデータは、変調シンボルを提供するためにそのデータストリームのために選択された特定の変調方式（例えば、ＢＰＳＫ、ＱＳＰＫ、Ｍ−ＰＳＫ、又はＭ−ＱＡＭ）に基づいて変調（すなわち、シンボルマッピング）される。各データストリームのためのデータレート、符号化、及び変調は、プロセッサ１６３０によって実行される命令によって決定することができる。データメモリ１６３２は、デバイス１６１０のプロセッサ１６３０又はその他のコンポーネントによって用いられるプログラムコード、データ、及びその他の情報を格納することができる。
【００９９】
次に、全データストリームに関する変調シンボルがＴＸ  ＭＩＭＯプロセッサ１６２０に提供され、それは、（例えばＯＦＤＭに関して）変調シンボルをさらに処理することができる。ＴＸ  ＭＩＭＯプロセッサ１６２０は、ＮＴの変調シンボルストリームをＮＴのトランシーバ（ＸＣＶＲ）１６２２Ａ乃至１６２２Ｔに提供する。幾つかの態様においては、ＴＸ  ＭＩＭＯプロセッサ１６２０は、データストリームのシンボル及びシンボルを送信中であるアンテナにビーム形成重みを加える。
【０１００】
各トランシーバ１６２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルでの送信に適した変調された信号を提供する。次に、トランシーバ１６２２Ａ乃至１６２２ＴからのＮＴの変調された信号が、ＮＴのアンテナ１６２４Ａ乃至１６２４Ｔからそれぞれ送信される。
【０１０１】
デバイス１６５０において、送信された変調された信号は、ＮＲのアンテナ１６５２Ａ乃至１６５２Ｒによって受信され、各アンテナ１６５２からの受信された信号は、各々のトランシーバ（ＸＣＶＲ）１６５４Ａ乃至１６５４Ｒに提供される。各トランシーバ１６５４は、各々の受信された信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【０１０２】
受信（ＲＸ）データプロセッサ１６６０は、ＮＲのトランシーバ１６５４からのＮＲの受信されたシンボルストリームを受信して特定の受信機処理技法に基づいて処理し、ＮＴの“検出された”シンボルストリームを提供する。ＲＸデータプロセッサ１６６０は、各々の検出されたシンボルストリームを復調、デインターリービング、及び復号し、データストリームのためのトラフィックデータを復元する。ＲＸデータプロセッサ１６６０による処理は、デバイス１６１０におけるＴＸ  ＭＩＭＯプロセッサ１６２０及びＴＸデータプロセッサ１６１４によって行われるそれを補完するものである。
【０１０３】
プロセッサ１６７０は、いずれのプリコーディング行列を用いるかを定期的に決定する（後述）。プロセッサ１６７０は、行列インデックス部分とランク値部分とを備える逆方向リンクメッセージを生成する。データメモリ１６７２は、デバイス１６５０のプロセッサ１６７０又はその他のコンポーネントによって用いられるプログラムコード、データ、及びその他の情報を格納することができる。
【０１０４】
逆方向リンクメッセージは、通信リンク及び／又は受信されたデータストリームに関する様々なタイプの情報を備えることができる。逆方向リンクメッセージは、データソース１６３６から幾つかのデータストリームのためのトラフィックデータも受信するＴＸデータプロセッサ１６３８によって処理され、変調器１６２０によって変調され、トランシーバ１６５４Ａ乃至１６５４Ｒによってコンディショニングされ、デバイス１６１０に返信される。
【０１０５】
デバイス１６１０において、デバイス１６５０からの変調された信号は、アンテナ１６２４によって受信され、トランシーバ１６２２によってコンディショニングされ、復調器（ＤＥＭＯＤ）１６４０によって復調され、ＲＸデータプロセッサ１６４２によって処理されてデバイス１６５０によって送信された逆方向リンクメッセージが抽出される。次に、プロセッサ１６３０は、ビーム形成重みを決定するためにいずれのプリコーディング行列を用いるかを決定し、抽出されたメッセージを処理する。
【０１０６】
図１６は、ここにおいて教示されるように干渉制御動作を行う１つ以上のコンポーネントを含むことができることも示す。例えば、干渉（ＩＮＴＥＲ）制御コンポーネント１６９０は、ここにおいて教示されるように他のデバイス（例えば、デバイス１６５０）に信号を送信する／から信号を受信するためにデバイス１６１０のプロセッサ１６３０及び／又はその他のコンポーネントと協力することができる。同様に、干渉制御コンポーネント１６９２は、他のデバイス（例えば、デバイス１６１０）に信号を送信する／から信号を受信するためにデバイス１６５０のプロセッサ１６７０及び／又はその他のコンポーネントと協力することができる。各デバイス１６１０及び１６５０に関して、説明されるコンポーネントのうちの２つ以上の機能を、単一のコンポーネントによって提供できることが評価されるべきである。例えば、単一の処理コンポーネントは、干渉制御コンポーネント１６９０及びプロセッサ１６３０の機能を提供することができ、及び、単一の処理コンポーネントは、干渉制御コンポーネント１６９２及びプロセッサ１６７０の機能を提供することができる。
【０１０７】
ここにおいて開示される実施形態と関係させて説明される様々な例示的な論理、論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラマブル論理デバイス、ディスクリートゲートロジック、ディスクリートトランジスタロジック、ディスクリートハードウェアコンポーネント、又はそれらのあらゆる組合せ、を用いて実装又は実行することができる。汎用プロセッサは、マイクロプロセッサであることができるが、代替においては、プロセッサは、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装することもできる。さらに、少なくとも１つのプロセッサは、上述されるステップ及び／又は行動のうちの１つ以上を実行するために動作可能な１つ以上のモジュールを備えることができる。
【０１０８】
さらに、ここにおいて開示される態様と関係させて説明される方法又はアルゴリズムのステップ及び／又は行動は、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体に常駐することができる。典型的な記憶媒体は、プロセッサに結合させることができ、このため、プロセッサは、記憶媒体から情報を読み出すこと及び記憶媒体に情報を書き込むことができる。代替においては、記憶媒体は、プロセッサと一体化させることができる。さらに、幾つかの態様においては、プロセッサ及び記憶媒体は、ＡＳＩＣ内に常駐することができる。さらに、ＡＳＩＣは、ユーザ端末に常駐することができる。代替においては、プロセッサ及び記憶媒体は、ユーザ端末内において個別のコンポーネントとして常駐することができる。さらに、幾つかの態様においては、方法又はアルゴリズムのステップ及び／又は動作は、コンピュータプログラム製品内に組み入れることが可能な機械によって読み取り可能な媒体及び／又はコンピュータによって読み取り可能な媒体上において符号及び／又は命令の１つの又はあらゆる組み合わせとして又は符号及び／又は命令の１つの又はあらゆる組として常駐可能である。
【０１０９】
１つ以上の態様において、説明される機能は、ハードウェア、ソフトウェア、ファームウェア、又はそれらの組み合わせにおいて実装することができる。ソフトウェアにおいて実装される場合は、これらの機能は、１つ以上の命令又は符号としてコンピュータによって読み取り可能な媒体に格納すること又は１つ以上の命令又は符号として送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、コンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコードを搬送又は格納するために用いることができ及びコンピュータによってアクセス可能であるその他の媒体、を備えることができる。さらに、いずれの接続もコンピュータによって読み取り可能な媒体であるとすることができる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは、通常は磁気的にデータを複製し、ｄｉｓｃは、通常はレーザを用いて光学的にデータを複製する。上記の組合せも、コンピュータによって読み取り可能な媒体の適用範囲に含めるべきである。
【０１１０】
上記の開示は、例示的な態様及び／又は実施形態について説明する一方で、添付された請求項によって定義される説明される態様及び／又は実施形態の適用範囲から逸脱せずに様々な変更及び修正をここにおいて行うことができることが注目されるべきである。さらに、説明される態様及び／又は実施形態の要素は、単数形で説明又は請求することができるが、単数形に限定することが明示されない限り複数形が企図される。さらに、いずれの態様及び／又は実施形態も、別の記述がない限り、その全体又は一部を、その他のあらゆる態様及び／又は実施形態の全体又は一部とともに利用することが可能である。さらに、表現“含む”が発明を実施するための形態又は請求項において用いられる限りにおいて、該表現は、“備える”という表現が請求項において移行語として採用されたときの解釈と同様の包含性を有することが意図される。さらに、説明される態様の要素及び／又は態様は、単数形で説明又は請求することができるが、単数形に限定することが明示されない限り複数形が企図される。さらに、いずれの態様及び／又は実施形態も、別の記述がない限り、その全体又は一部を、その他のあらゆる態様及び／又は実施形態の全体又は一部とともに利用することが可能である。
【図１】
2014195301.tif 000003
【図２】
2014195301.tif 000004
【図３】
2014195301.tif 000005
【図４】
2014195301.tif 000006
【図５】
2014195301.tif 000007
【図６】
2014195301.tif 000008
【図７】
2014195301.tif 000009
【図８】
2014195301.tif 000010
【図９】
2014195301.tif 000011
【図１０】
2014195301.tif 000012
【図１１】
2014195301.tif 000013
【図１２】
2014195301.tif 000014
【図１３】
2014195301.tif 000015
【図１４】
2014195301.tif 000016
【図１５】
2014195301.tif 000017
【図１６】
2014195301.tif 000018
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
方法であって、
エアインタフェースを通じて１つ以上のＵＥと通信することと、
前記エアインタフェースを通じて１つ以上のｅＮＢと通信すること、とを備える、方法。
【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
方法であって、
エアインタフェースを通じて１つ以上の無線端末と通信することと、
基地局間の通信のために割り当てられたリンクを通じて１つ以上の基地局と通信することと、
前記リンクが前記１つ以上の基地局と通信するために信頼できないとき、前記エアインタフェースを通じて前記１つ以上の基地局とブランキング情報を通信することと、を備え、
前記ブランキング情報は、前記１つ以上の無線端末と通信するための分散型リソース割り当てを確立するために使用される、方法。
【請求項２】
前記エアインタフェースを通じて前記１つ以上の基地局と前記通信することは、前記エアインタフェースを通じて前記１つ以上の基地局と１つ以上の干渉管理メッセージをやり取りすることを備える請求項１に記載の方法。
【請求項３】
前記１つ以上の干渉管理メッセージを前記やり取りすることは、前記１つ以上の無線端末と通信するために前記エアインタフェースを通じて前記１つ以上の基地局にブランキングを要求すること又は前記エアインタフェースを通じて前記１つ以上の基地局によってブランキングされた一組のリソースの指示を受信することを含む請求項２に記載の方法。
【請求項４】
前記１つ以上の基地局に関する１つ以上のパラメータに少なくとも部分的に基づいて前記１つ以上の基地局と前記１つ以上の干渉管理メッセージをやり取りすることを決定することをさらに備える請求項２に記載の方法。
【請求項５】
前記１つ以上のパラメータは、前記１つ以上の基地局の識別子、前記１つ以上の基地局の割り当てられた優先度、前記１つ以上の基地局のタイプ、又は前記１つ以上の基地局に対する通信負荷を含む請求項４に記載の方法。
【請求項６】
前記１つ以上の干渉管理メッセージを前記やり取りすることは、前記エアインタフェースを通じて前記１つ以上の基地局からブランキング要求を受信することを含む請求項２に記載の方法。
【請求項７】
前記１つ以上の干渉管理メッセージに少なくとも部分的に基づいて一組のブランキングされたリソースでの送信をブランキングすることをさらに備える請求項２に記載の方法。
【請求項８】
前記エアインタフェースを通じて前記１つ以上の基地局と前記１つ以上の干渉管理メッセージをやり取りすることに応答して前記エアインタフェースを通じて前記１つ以上の基地局にブランキングされたリソースの前記組の指示を提供することをさらに備える請求項７に記載の方法。
【請求項９】
異種の無線端末のバッファレベルに少なくとも部分的に基づいてブランキングされたリソースの前記組を決定することをさらに備え、前記エアインタフェースを通じて前記１つ以上の基地局と前記１つ以上の干渉管理メッセージを前記やり取りすることは、前記エアインタフェースを通じて前記１つ以上の基地局から前記異種の無線端末の前記バッファレベルを受信することをさらに備える請求項８に記載の方法。
【請求項１０】
前記１つ以上の基地局の割り当てられた優先度に少なくとも部分的に基づいてブランキングされたリソースの前記組及び１つ以上の異種の基地局に関するブランキングのための異種の一組のリソースを決定することをさらに備え、前記エアインタフェースを通じて前記１つ以上の基地局と前記１つ以上の干渉管理メッセージを前記やり取りすることは、前記エアインタフェースを通じて前記１つ以上の基地局から前記１つ以上の基地局の前記割り当てられた優先度を受信することをさらに備える請求項８に記載の方法。
【請求項１１】
前記エアインタフェースを通じての前記１つ以上の基地局に対する１つ以上の異種の基地局の干渉に関する１つ以上のパラメータに少なくとも部分的に基づいてブランキングされたリソースの前記組を決定することをさらに備え、前記エアインタフェースを通じて前記１つ以上の基地局と前記１つ以上の干渉管理メッセージを前記やり取りすることは、前記干渉に関する前記１つ以上のパラメータを受信することをさらに備える請求項８に記載の方法。
【請求項１２】
前記エアインタフェースを通じて前記１つ以上の基地局と前記１つ以上の干渉管理メッセージを前記やり取りすることは、前記エアインタフェースを通じて前記１つ以上の基地局に識別子、タイプ、又は通信負荷を提供することを含む請求項２に記載の方法。
【請求項１３】
前記１つ以上の基地局と前記通信することは、前記１つ以上の基地局の共配置された無線端末と通信することを含む請求項1に記載の方法。
【請求項１４】
前記１つ以上の基地局と前記通信することは、前記共配置された無線端末からリソース割り当て要求を受信することを含む請求項１３に記載の方法。
【請求項１５】
前記エアインタフェースを通じて前記１つ以上の基地局と前記通信することは、共配置された無線端末を用いて前記１つ以上の基地局と通信することを含む請求項１に記載の方法。
【請求項１６】
前記共配置された無線端末を用いて前記１つ以上の基地局と前記通信することは、前記共配置された無線端末を用いて前記１つ以上の基地局にリソース割り当てを要求することを含む請求項１５に記載の方法。
【請求項１７】
前記エアインタフェースを通じて前記１つ以上の基地局と前記通信することは、前記エアインタフェースを通じて前記１つ以上の無線端末と通信することに関するバッファレベルを前記１つ以上の基地局に送信することをさらに備える請求項１に記載の方法。
【請求項１８】
前記エアインタフェースを通じて前記１つ以上の基地局と前記通信することは、前記エアインタフェースを通じて１つ以上の異種の基地局からの干渉に関する１つ以上のパラメータを前記１つ以上の基地局に提供することを備える請求項１に記載の方法。
【請求項１９】
前記エアインタフェースを通じて前記１つ以上の基地局と前記通信することは、前記エアインタフェースを通じて前記１つ以上の基地局に割り当てられた優先度を提供することを備える請求項１に記載の方法。
【請求項２０】
前記エアインタフェースを通じて前記１つ以上の無線端末と前記通信することは、
前記１つ以上の基地局と通信することに関する測定ギャップを前記１つ以上の無線端末に示すことを備える請求項１に記載の方法。
【請求項２１】
前記エアインタフェースを通じて前記１つ以上の無線端末と前記通信することは、前記１つ以上の基地局と通信するときに不連続受信モードに入るように前記１つ以上の無線端末にシグナリングすることを備える請求項１に記載の方法。
【請求項２２】
前記１つ以上の基地局と通信する前に前記１つ以上の無線端末への送信電力をフェージングすることをさらに備える請求項１に記載の方法。
【請求項２３】
前記エアインタフェースを通じて前記１つ以上の無線端末と前記通信することは、前記１つ以上の基地局と通信する前に前記１つ以上の無線端末に１つ以上の無線リンク失敗タイマを提供することを備える請求項１に記載の方法。
【請求項２４】
前記エアインタフェースを通じて前記１つ以上の無線端末と前記通信することは、前記１つ以上の基地局と通信することに関する期間又は時間間隔に関する１つ以上のパラメータを示すことを備える請求項１に記載の方法。
【請求項２５】
基地局間の通信のために割り当てられた前記リンクは有線バックホールリンクを含む請求項１に記載の方法。
【請求項２６】
無線通信装置であって、
エアインタフェースを通じて１つ以上の無線端末に１つ以上のデータ信号を送信し、及び、
基地局間の通信のために割り当てられたリンクを通じて１つ以上の基地局と通信し、
前記リンクが前記１つ以上の基地局と通信するために信頼できないとき、前記エアインタフェースを通じて前記１つ以上の基地局とブランキング情報を通信するように構成された少なくとも１つのプロセッサと、ここで、前記ブランキング情報は、前記１つ以上の無線端末と通信するための分散型リソース割り当てを確立するために使用される、
前記少なくとも１つのプロセッサに結合されたメモリと、を備える、無線通信装置。
【請求項２７】
前記少なくとも１つのプロセッサは、少なくとも部分的に前記エアインタフェースを通じて前記１つ以上の基地局と１つ以上の干渉管理メッセージを通信することによって前記１つ以上の基地局と通信する請求項２６に記載の無線通信装置。
【請求項２８】
前記１つ以上の干渉管理メッセージは、ブランキング要求を含む請求項２７に記載の無線通信装置。
【請求項２９】
前記１つ以上の干渉管理メッセージは、前記１つ以上の基地局によってブランキングされた一組のリソースの指示を含む請求項２７に記載の無線通信装置。
【請求項３０】
前記少なくとも１つのプロセッサは、前記１つ以上の基地局に関する１つ以上のパラメータに少なくとも部分的に基づいて前記１つ以上の基地局と前記１つ以上の干渉管理メッセージをやり取りすることを決定するようにさらに構成される請求項２７に記載の無線通信装置。
【請求項３１】
前記少なくとも１つのプロセッサは、前記１つ以上の干渉管理メッセージに少なくとも部分的に基づいて一組のブランキングされたリソースでの送信をブランキングするようにさらに構成される請求項２７に記載の無線通信装置。
【請求項３２】
前記少なくとも１つのプロセッサは、前記１つ以上の基地局にブランキングされたリソースの前記組の指示を通信するようにさらに構成される請求項３１に記載の無線通信装置。
【請求項３３】
前記１つ以上の干渉管理メッセージは、異種の無線端末のバッファレベル、前記１つ以上の基地局の割り当てられた優先度、又は１つ以上の干渉パラメータを含み、前記少なくとも１つのプロセッサは、前記異種の無線端末の前記バッファレベル、前記１つ以上の基地局の前記割り当てられた優先度、又は前記１つ以上の干渉パラメータに少なくとも部分的に基づいてブランキングされたリソースの前記組を決定するようにさらに構成される請求項３２に記載の無線通信装置。
【請求項３４】
前記少なくとも１つのプロセッサは、前記異種の無線端末の前記バッファレベル、前記１つ以上の基地局の前記割り当てられた優先度、又は前記１つ以上の干渉パラメータに少なくとも部分的に基づいて１つ以上の異種の基地局に関するブランキングのための異種の一組のブランキングされたリソースを決定するようにさらに構成される請求項３３に記載の無線通信装置。
【請求項３５】
前記少なくとも１つのプロセッサは、前記１つ以上の基地局の共配置された無線端末と通信することによって前記１つ以上の基地局と通信する請求項２６に記載の無線通信装置。
【請求項３６】
前記少なくとも１つのプロセッサは、前記共配置された無線端末からリソース割り当て要求を受信するようにさらに構成される請求項３５に記載の無線通信装置。
【請求項３７】
前記少なくとも１つのプロセッサは、前記無線通信装置と共配置される無線端末を用いて前記１つ以上の基地局と通信する請求項２６に記載の無線通信装置。
【請求項３８】
前記少なくとも１つのプロセッサは、前記無線通信装置と共配置される前記無線端末を用いて前記１つ以上の基地局にリソース割り当て要求を通信する請求項３７に記載の無線通信装置。
【請求項３９】
前記少なくとも１つのプロセッサは、少なくとも部分的に、前記エアインタフェースを通じて、前記１つ以上の無線端末に関するバッファレベル、前記無線通信装置に関する割り当てられた優先度、又は１つ以上の異種の基地局からの干渉に関する１つ以上のパラメータを前記１つ以上の基地局に通信することによって前記１つ以上の基地局と通信する請求項２６に記載の無線通信装置。
【請求項４０】
前記１つ以上のデータ信号は、前記１つ以上の基地局と通信することに関する測定ギャップ、前記少なくとも１つのプロセッサが前記１つ以上の基地局と通信する１つ以上の期間にわたって不連続受信モードに入るためのコマンド、又は前記少なくとも１つのプロセッサが前記１つ以上の基地局と通信する期間又は時間間隔に関する１つ以上のパラメータを含む請求項２６に記載の無線通信装置。
【請求項４１】
前記少なくとも１つのプロセッサは、前記１つ以上の基地局と通信する前のある期間にわたって前記１つ以上の無線端末に前記１つ以上のデータ信号を送信するための送信電力をフェージングするようにさらに構成される請求項２６に記載の無線通信装置。
【請求項４２】
前記１つ以上のデータ信号は、１つ以上の無線リンク失敗タイマを含み、前記少なくとも１つのプロセッサは、前記１つ以上の基地局と通信する前に前記１つ以上の無線端末に前記１つ以上の無線リンク失敗タイマを送信する請求項２６に記載の無線通信装置。
【請求項４３】
基地局間の通信のために割り当てられた前記リンクは有線バックホールリンクを含む請求項２６に記載の無線通信装置。
【請求項４４】
装置であって、
基地局間の通信のために割り当てられたリンクを通じて１つ以上の基地局と通信するための手段と、
前記１つ以上の基地局についてのブランキング情報を備えたメッセージを生成するための手段と、ここで、前記ブランキング情報は、１つ以上の無線端末と通信するための分散型リソース割り当てを確立するために使用される、
前記リンクが前記１つ以上の基地局と通信するために信頼できないとき、エアインタフェースを通じて前記１つ以上の基地局に前記メッセージを通信するための手段と、
前記エアインタフェースを通じて前記１つ以上の無線端末に１つ以上の異種のメッセージを通信するための手段と、を備える、装置。
【請求項４５】
前記メッセージは、１つ以上の干渉管理メッセージを含む請求項４４に記載の装置。
【請求項４６】
前記１つ以上の干渉管理メッセージは、ブランキング要求又は前記１つ以上の基地局によってブランキングされた一組のリソースの指示を備える請求項４５に記載の装置。
【請求項４７】
前記１つ以上の基地局に関する１つ以上のパラメータに少なくとも部分的に基づいて前記１つ以上の基地局に前記１つ以上の干渉管理メッセージを通信することを決定するための手段をさらに備える請求項４５に記載の装置。
【請求項４８】
前記１つ以上の基地局に関する前記１つ以上のパラメータは、前記１つ以上の基地局の識別子、前記１つ以上の基地局の割り当てられた優先度、前記１つ以上の基地局のタイプ、又は前記１つ以上の基地局に対する通信負荷を含み、前記１つ以上の干渉管理メッセージは、リソース割り当て要求を含む請求項４７に記載の装置。
【請求項４９】
前記１つ以上の基地局に前記メッセージに通信するための前記手段は、前記エアインタフェースを通じて前記１つ以上の基地局からブランキング要求をさらに受信する請求項４５に記載の装置。
【請求項５０】
前記１つ以上の基地局に前記メッセージを通信するための前記手段は、前記１つ以上の基地局から受信された１つ以上の異種の干渉管理メッセージに少なくとも部分的に基づいて一組のブランキングされたリソースでの送信をブランキングする請求項４５に記載の装置。
【請求項５１】
前記１つ以上の異種の干渉管理メッセージに応答してブランキングされたリソースの前記組の指示を生成するための手段をさらに備え、前記１つ以上の干渉管理メッセージは、ブランキングされたリソースの前記組の前記指示を含む請求項５０に記載の装置。
【請求項５２】
異種の無線端末のバッファレベルに少なくとも部分的に基づいてブランキングされたリソースの前記組を決定するための手段をさらに備え、前記１つ以上の基地局から受信された前記１つ以上の異種の干渉管理メッセージは、前記異種の無線端末の前記バッファレベルを含む請求項５１に記載の装置。
【請求項５３】
前記１つ以上の基地局の割り当てられた優先度に少なくとも部分的に基づいてブランキングされたリソースの前記組を決定するための手段をさらに備え、前記１つ以上の基地局から受信された前記１つ以上の異種の干渉管理メッセージは、前記１つ以上の基地局の前記割り当てられた優先度を含む請求項５１に記載の装置。
【請求項５４】
１つ以上の異種の基地局からの前記１つ以上の基地局における干渉に関する１つ以上のパラメータに少なくとも部分的に基づいてブランキングされたリソースの前記組を決定するための手段をさらに備え、前記１つ以上の基地局から受信された前記１つ以上の異種の干渉管理メッセージは、前記干渉に関する前記１つ以上のパラメータを含む請求項５１に記載の装置。
【請求項５５】
前記１つ以上の干渉管理メッセージは、前記１つ以上の基地局の識別子、タイプ、又は通信負荷を備える請求項４５に記載の装置。
【請求項５６】
前記１つ以上の基地局に前記メッセージを通信するための前記手段は、前記１つ以上の基地局において共配置された無線端末から異種のメッセージをさらに受信する請求項４４に記載の装置。
【請求項５７】
前記異種のメッセージは、リソース割り当て要求である請求項５６に記載の装置。
【請求項５８】
前記１つ以上の基地局に前記メッセージを通信するための前記手段は、前記装置において共配置された無線端末を含む請求項４４に記載の装置。
【請求項５９】
前記１つ以上の干渉管理メッセージは、リソース割り当て要求である請求項５８に記載の装置。
【請求項６０】
前記メッセージは、前記１つ以上の無線端末と通信することに関するバッファレベルを備える請求項４４に記載の装置。
【請求項６１】
前記メッセージは、１つ以上の異種の基地局から前記装置への干渉に関する１つ以上のパラメータを備える請求項４４に記載の装置。
【請求項６２】
前記メッセージは、前記装置に割り当てられた優先度を備える請求項４４に記載の装置。
【請求項６３】
前記１つ以上の異種のメッセージは、前記１つ以上の基地局と通信することに対応する測定ギャップの指示、不連続受信モードに入るためのコマンド、１つ以上の無線リンク失敗タイマ、又は、通信するための前記手段が前記１つ以上の基地局に前記メッセージを通信する期間又は時間間隔に関する１つ以上のパラメータを備える請求項４４に記載の装置。
【請求項６４】
通信するための前記手段が前記１つ以上の基地局に前記メッセージを通信する前に前記１つ以上の無線端末への送信電力をフェージングするための手段をさらに備える請求項４４に記載の装置。
【請求項６５】
基地局間の通信のために割り当てられた前記リンクが有線バックホールリンクを含む請求項４４に記載の装置。
【請求項６６】
コンピュータプログラム製品であって、
エアインタフェースを通じて１つ以上の無線端末に１つ以上のデータ信号を送信することを少なくとも１つのコンピュータに行わせるための符号と、
基地局間の通信のために割り当てられたリンクを通じて１つ以上の基地局と通信することを前記少なくとも１つのコンピュータに行わせるための符号と、
前記リンクが前記１つ以上の基地局と通信するために信頼できないとき、前記エアインタフェースを通じて前記１つ以上の基地局とブランキング情報を備えたメッセージを通信することを前記少なくとも１つのコンピュータに行わせるための符号と、ここで、前記ブランキング情報は、前記１つ以上の無線端末と通信するための分散型リソース割り当てを確立するために使用される、
を備える非一時的なコンピュータによって読み取り可能な媒体、を備える、コンピュータプログラム製品。
【請求項６７】
前記メッセージは、１つ以上の干渉管理メッセージを備える請求項６６に記載のコンピュータプログラム製品。
【請求項６８】
前記１つ以上の干渉管理メッセージは、ブランキング要求を含む請求項６７に記載のコンピュータプログラム製品。
【請求項６９】
前記１つ以上の干渉管理メッセージは、前記１つ以上の基地局によってブランキングされた一組のリソースの指示を含む請求項６７に記載のコンピュータプログラム製品。
【請求項７０】
前記非一時的なコンピュータによって読み取り可能な媒体は、前記１つ以上の基地局に関する１つ以上のパラメータに少なくとも部分的に基づいて前記１つ以上の基地局と前記１つ以上の干渉管理メッセージをやり取りすることを決定することを前記少なくとも１つのコンピュータに行わせるための符号をさらに備える請求項６７に記載のコンピュータプログラム製品。
【請求項７１】
前記非一時的なコンピュータによって読み取り可能な媒体は、前記１つ以上の干渉管理メッセージに少なくとも部分的に基づいて一組のブランキングされたリソースでの送信をブランキングすることを前記少なくとも１つのコンピュータに行わせるための符号をさらに備える請求項６７に記載のコンピュータプログラム製品。
【請求項７２】
前記非一時的なコンピュータによって読み取り可能な媒体は、前記１つ以上の基地局にブランキングされたリソースの前記組の指示を通信することを前記少なくとも１つのコンピュータに行わせるための符号をさらに備える請求項７１に記載のコンピュータプログラム製品。
【請求項７３】
前記１つ以上の干渉管理メッセージは、前記１つ以上の基地局と通信する異種の無線端末のバッファレベル、前記１つ以上の基地局の割り当てられた優先度、又は前記１つ以上の基地局に関する１つ以上の干渉パラメータを含み、前記非一時的なコンピュータによって読み取り可能な媒体は、前記異種の無線端末の前記バッファレベル、前記１つ以上の基地局の前記割り当てられた優先度、又は前記１つ以上の干渉パラメータに少なくとも部分的に基づいてブランキングされたリソースの前記組を決定することを前記少なくとも１つのコンピュータに行わせるための符号をさらに備える請求項７２に記載のコンピュータプログラム製品。
【請求項７４】
前記非一時的なコンピュータによって読み取り可能な媒体は、前記異種の無線端末の前記バッファレベル、前記１つ以上の基地局の前記割り当てられた優先度、又は前記１つ以上の干渉パラメータに少なくとも部分的に基づいて１つ以上の異種の基地局に関するブランキングのための異種の一組のブランキングされたリソースを決定することを前記少なくとも１つのコンピュータに行わせるための符号をさらに備える請求項７３に記載のコンピュータプログラム製品。
【請求項７５】
前記１つ以上の基地局と通信することを前記少なくとも１つのコンピュータに行わせるための前記符号は、前記１つ以上の基地局の共配置された無線端末と通信する請求項６６に記載のコンピュータプログラム製品。
【請求項７６】
前記非一時的なコンピュータによって読み取り可能な媒体は、前記共配置された無線端末からリソース割り当て要求を受信することを前記少なくとも１つのコンピュータに行わせるための符号をさらに備える請求項７５に記載のコンピュータプログラム製品。
【請求項７７】
前記１つ以上の基地局と通信することを前記少なくとも１つのコンピュータに行わせるための前記符号は、共配置された無線端末を用いて前記１つ以上の基地局と通信する請求項６６に記載のコンピュータプログラム製品。
【請求項７８】
前記メッセージは、リソース割り当て要求である請求項７７に記載のコンピュータプログラム製品。
【請求項７９】
前記メッセージは、前記１つ以上の無線端末に関するバッファレベル、前記１つ以上の基地局に関する割り当てられた優先度、又は１つ以上の異種の基地局からの干渉に関する１つ以上のパラメータを含む請求項６６に記載のコンピュータプログラム製品。
【請求項８０】
前記１つ以上のデータ信号は、前記１つ以上の基地局と通信することに関する測定ギャップ、通信することを前記少なくとも１つのコンピュータに行わせるための前記符号が前記１つ以上の基地局と前記メッセージを通信する１つ以上の期間にわたって不連続受信モードに入るためのコマンド、１つ以上の無線リンク失敗タイマ、又は、通信することを前記少なくとも１つのコンピュータに行わせるための前記符号が前記１つ以上の基地局と前記メッセージを通信する期間又は時間間隔に関する１つ以上のパラメータを含む請求項６６に記載のコンピュータプログラム製品。
【請求項８１】
前記非一時的なコンピュータによって読み取り可能な媒体は、前記１つ以上の基地局と通信する前のある期間にわたって前記１つ以上の無線端末に前記１つ以上のデータ信号を送信するための送信電力をフェージングすることを前記少なくとも１つのコンピュータに行わせるための符号をさらに備える請求項６６に記載のコンピュータプログラム製品。
【請求項８２】
基地局間の通信のために割り当てられた前記リンクは有線バックホールリンクを含む請求項６６に記載のコンピュータプログラム製品。
【請求項８３】
装置であって、
基地局間での通信のために割り当てられたリンクを通じて１つ以上の基地局と通信する通信コンポーネントと、
１つ以上の基地局についてのブランキング情報を備えたメッセージを生成するアクセスポイント間メッセージ生成コンポーネントと、ここで、前記ブランキング情報は、１つ以上の無線端末と通信するための分散型リソース割り当てを確立するために使用される、
前記リンクが前記１つ以上の基地局と通信するために信頼できないとき、エアインタフェースを通じて前記１つ以上の基地局に前記メッセージを通信し及び前記エアインタフェースを通じて前記１つ以上の無線端末に１つ以上の異種のメッセージを通信するエアインタフェース通信コンポーネントと、を備える、装置。
【請求項８４】
前記メッセージは、１つ以上の干渉管理メッセージを含む請求項８３に記載の装置。
【請求項８５】
前記１つ以上の干渉管理メッセージは、ブランキング要求又は前記１つ以上の基地局によってブランキングされた一組のリソースの指示を備える請求項８４に記載の装置。
【請求項８６】
前記１つ以上の基地局に関する１つ以上のパラメータ及び前記装置に関する１つ以上の同様のパラメータに少なくとも部分的に基づいて前記１つ以上の基地局に前記１つ以上の干渉管理メッセージを通信することを決定するパラメータ測定コンポーネントをさらに備える請求項８４に記載の装置。
【請求項８７】
前記１つ以上の基地局に関する前記１つ以上のパラメータは、前記１つ以上の基地局の識別子、前記１つ以上の基地局の割り当てられた優先度、前記１つ以上の基地局のタイプ、又は前記１つ以上の基地局に対する通信負荷を含み、前記１つ以上の干渉管理メッセージは、リソース割り当て要求を含む請求項８６に記載の装置。
【請求項８８】
前記エアインタフェース通信コンポーネントは、前記エアインタフェースを通じて前記１つ以上の基地局からブランキング要求をさらに受信する請求項８４に記載の装置。
【請求項８９】
前記エアインタフェース通信コンポーネントは、前記１つ以上の基地局から受信された１つ以上の異種の干渉管理メッセージに少なくとも部分的に基づいて一組のブランキングされたリソースでの送信をブランキングする請求項８４に記載の装置。
【請求項９０】
前記１つ以上の異種の干渉管理メッセージに応答してブランキングされたリソースの前記組の指示を生成するリソーススケジューリングコンポーネントをさらに備え、前記１つ以上の干渉管理メッセージは、ブランキングされたリソースの前記組の前記指示を含む請求項８９に記載の装置。
【請求項９１】
異種の無線端末のバッファレベル、前記１つ以上の基地局の割り当てられた優先度、又は前記１つ以上の基地局での干渉に関する１つ以上のパラメータに少なくとも部分的に基づいてブランキングされたリソースの前記組を決定するリソース割り当てコンポーネントをさらに備え、前記１つ以上の基地局から受信された前記１つ以上の異種の干渉管理メッセージは、前記異種の無線端末の前記バッファレベル、前記１つ以上の基地局の前記割り当てられた優先度、又は前記１つ以上の基地局での前記干渉に関する前記１つ以上のパラメータを含む請求項９０に記載の装置。
【請求項９２】
前記１つ以上の干渉管理メッセージは、前記１つ以上の基地局の識別子、タイプ、割り当てられた優先度、又は通信負荷を備える請求項８４に記載の装置。
【請求項９３】
前記エアインタフェース通信コンポーネントは、前記１つ以上の基地局において共配置された無線端末から異種のメッセージをさらに受信する請求項８３に記載の装置。
【請求項９４】
前記エアインタフェース通信コンポーネントは、前記装置において共配置された無線端末内に含められる請求項８３に記載の装置。
【請求項９５】
前記メッセージは、前記１つ以上の無線端末と通信することに関するバッファレベルを備える請求項８３に記載の装置。
【請求項９６】
前記メッセージは、前記装置への１つ以上の異種の基地局からの干渉に関する１つ以上のパラメータを備える請求項８３に記載の装置。
【請求項９７】
前記メッセージは、前記装置に割り当てられた優先度を備える請求項８３に記載の装置。
【請求項９８】
前記１つ以上の異種のメッセージは、前記１つ以上の基地局と通信することに対応する測定ギャップの指示、不連続受信モードに入るためのコマンド、１つ以上の無線リンク失敗タイマ、又は、前記エアインタフェース通信コンポーネントが前記１つ以上の基地局に前記メッセージを通信する期間又は時間間隔に関する１つ以上のパラメータを備える請求項８３に記載の装置。
【請求項９９】
前記エアインタフェース通信コンポーネントが前記１つ以上の基地局に前記メッセージを通信する前のある期間にわたって前記１つ以上の無線端末への送信電力を低減させる電力フェージングコンポーネントをさらに備える請求項８３に記載の装置。
【請求項１００】
基地局間での通信のために割り当てられた前記リンクは有線バックホールリンクを含む請求項８３に記載の装置。
【手続補正２】
【補正対象書類名】明細書
【補正対象項目名】０１１０
【補正方法】変更
【補正の内容】
【０１１０】
上記の開示は、例示的な態様及び／又は実施形態について説明する一方で、添付された請求項によって定義される説明される態様及び／又は実施形態の適用範囲から逸脱せずに様々な変更及び修正をここにおいて行うことができることが注目されるべきである。さらに、説明される態様及び／又は実施形態の要素は、単数形で説明又は請求することができるが、単数形に限定することが明示されない限り複数形が企図される。さらに、いずれの態様及び／又は実施形態も、別の記述がない限り、その全体又は一部を、その他のあらゆる態様及び／又は実施形態の全体又は一部とともに利用することが可能である。さらに、表現“含む”が発明を実施するための形態又は請求項において用いられる限りにおいて、該表現は、“備える”という表現が請求項において移行語として採用されたときの解釈と同様の包含性を有することが意図される。さらに、説明される態様の要素及び／又は態様は、単数形で説明又は請求することができるが、単数形に限定することが明示されない限り複数形が企図される。さらに、いずれの態様及び／又は実施形態も、別の記述がない限り、その全体又は一部を、その他のあらゆる態様及び／又は実施形態の全体又は一部とともに利用することが可能である。
以下に、本願出願の当初の特許請求の範囲に記載された発明を付記する。
［Ｃ１］
方法であって、
エアインタフェースを通じて１つ以上のＵＥと通信することと、
前記エアインタフェースを通じて１つ以上のｅＮＢと通信すること、とを備える、方法。
［Ｃ２］
前記エアインタフェースを通じて前記１つ以上のｅＮＢと前記通信することは、前記エアインタフェースを通じて前記１つ以上のｅＮＢと１つ以上の干渉管理メッセージをやり取りすることを備える［Ｃ１］に記載の方法。
［Ｃ３］
前記１つ以上の干渉管理メッセージを前記やり取りすることは、前記１つ以上のＵＥと通信するために前記エアインタフェースを通じて前記１つ以上のｅＮＢにブランキングを要求すること又は前記エアインタフェースを通じて前記１つ以上のｅＮＢによってブランキングされた一組のリソースの指示を受信することを含む［Ｃ２］に記載の方法。
［Ｃ４］
前記１つ以上のｅＮＢに関する１つ以上のパラメータに少なくとも部分的に基づいて前記１つ以上のｅＮＢと前記１つ以上の干渉管理メッセージをやり取りすることを決定することをさらに備える［Ｃ２］に記載の方法。
［Ｃ５］
前記１つ以上のパラメータは、前記１つ以上のｅＮＢの識別子、前記１つ以上のｅＮＢの割り当てられた優先度、前記１つ以上のｅＮＢのタイプ、又は前記１つ以上のｅＮＢに対する通信負荷を含む［Ｃ４］に記載の方法。
［Ｃ６］
前記１つ以上の干渉管理メッセージを前記やり取りすることは、前記エアインタフェースを通じて前記１つ以上のｅＮＢからブランキング要求を受信することを含む［Ｃ２］に記載の方法。
［Ｃ７］
前記１つ以上の干渉管理メッセージに少なくとも部分的に基づいて一組のブランキングされたリソースでの送信をブランキングすることをさらに備える［Ｃ２］に記載の方法。
［Ｃ８］
前記エアインタフェースを通じて前記１つ以上のｅＮＢと前記１つ以上の干渉管理メッセージをやり取りすることに応答して前記エアインタフェースを通じて前記１つ以上のｅＮＢにブランキングされたリソースの前記組の指示を提供することをさらに備える［Ｃ７］に記載の方法。
［Ｃ９］
異種のＵＥのバッファレベルに少なくとも部分的に基づいてブランキングされたリソースの前記組を決定することをさらに備え、前記エアインタフェースを通じて前記１つ以上のｅＮＢと前記１つ以上の干渉管理メッセージを前記やり取りすることは、前記エアインタフェースを通じて前記１つ以上のｅＮＢから前記異種のＵＥの前記バッファレベルを受信することをさらに備える［Ｃ８］に記載の方法。
［Ｃ１０］
前記１つ以上のｅＮＢの割り当てられた優先度に少なくとも部分的に基づいてブランキングされたリソースの前記組及び１つ以上の異種のｅＮＢに関するブランキングのための異種の一組のリソースを決定することをさらに備え、前記エアインタフェースを通じて前記１つ以上のｅＮＢと前記１つ以上の干渉管理メッセージを前記やり取りすることは、前記エアインタフェースを通じて前記１つ以上のｅＮＢから前記１つ以上のｅＮＢの前記割り当てられた優先度を受信することをさらに備える［Ｃ８］に記載の方法。
［Ｃ１１］
前記エアインタフェースを通じての前記１つ以上のｅＮＢに対する１つ以上の異種のｅＮＢの干渉に関する１つ以上のパラメータに少なくとも部分的に基づいてブランキングされたリソースの前記組を決定することをさらに備え、前記エアインタフェースを通じて前記１つ以上のｅＮＢと前記１つ以上の干渉管理メッセージを前記やり取りすることは、前記干渉に関する前記１つ以上のパラメータを受信することをさらに備える［Ｃ８］に記載の方法。  
［Ｃ１２］
前記エアインタフェースを通じて前記１つ以上のｅＮＢと前記１つ以上の干渉管理メッセージを前記やり取りすることは、前記エアインタフェースを通じて前記１つ以上のｅＮＢに識別子、タイプ、又は通信負荷を提供することを含む［Ｃ２］に記載の方法。  
［Ｃ１３］
前記１つ以上のｅＮＢと前記通信することは、前記１つ以上のｅＮＢの共配置されたＵＥと通信することを含む［Ｃ1］に記載の方法。
［Ｃ１４］
前記１つ以上のｅＮＢと前記通信することは、前記共配置されたＵＥからリソース割り当て要求を受信することを含む［Ｃ１３］に記載の方法。
［Ｃ１５］
前記エアインタフェースを通じて前記１つ以上のｅＮＢと前記通信することは、共配置されたＵＥを用いて前記１つ以上のｅＮＢと通信することを含む［Ｃ１］に記載の方法。
［Ｃ１６］
前記共配置されたＵＥを用いて前記１つ以上のｅＮＢと前記通信することは、前記共配置されたＵＥを用いて前記１つ以上のｅＮＢにリソース割り当てを要求することを含む［Ｃ１５］に記載の方法。
［Ｃ１７］
前記エアインタフェースを通じて前記１つ以上のｅＮＢと前記通信することは、前記エアインタフェースを通じて前記１つ以上のＵＥと通信することに関するバッファレベルを前記１つ以上のｅＮＢに送信することをさらに備える［Ｃ１］に記載の方法。
［Ｃ１８］
前記エアインタフェースを通じて前記１つ以上のｅＮＢと前記通信することは、前記エアインタフェースを通じて１つ以上の異種のｅＮＢからの干渉に関する１つ以上のパラメータを前記１つ以上のｅＮＢに提供することを備える［Ｃ１］に記載の方法。
［Ｃ１９］
前記エアインタフェースを通じて前記１つ以上のｅＮＢと前記通信することは、前記エアインタフェースを通じて前記１つ以上のｅＮＢに割り当てられた優先度を提供することを備える［Ｃ１］に記載の方法。
［Ｃ２０］
前記エアインタフェースを通じて前記１つ以上のＵＥと前記通信することは、
前記１つ以上のｅＮＢと通信することに関する測定ギャップを前記１つ以上のＵＥに示すことを備える［Ｃ１］に記載の方法。
［Ｃ２１］
前記エアインタフェースを通じて前記１つ以上のＵＥと前記通信することは、前記１つ以上のｅＮＢと通信するときに不連続受信モードに入るように前記１つ以上のＵＥにシグナリングすることを備える［Ｃ１］に記載の方法。
［Ｃ２２］
前記１つ以上のｅＮＢと通信する前に前記１つ以上のＵＥへの送信電力をフェージングすることをさらに備える［Ｃ１］に記載の方法。
［Ｃ２３］
前記エアインタフェースを通じて前記１つ以上のＵＥと前記通信することは、前記１つ以上のｅＮＢと通信する前に前記１つ以上のＵＥに１つ以上の無線リンク失敗タイマを提供することを備える［Ｃ１］に記載の方法。
［Ｃ２４］
前記エアインタフェースを通じて前記１つ以上のＵＥと前記通信することは、前記１つ以上のｅＮＢと通信することに関する期間又は時間間隔に関する１つ以上のパラメータを示すことを備える［Ｃ１］に記載の方法。
［Ｃ２５］
有線バックホールリンクをさらに通じて前記１つ以上のｅＮＢと通信することをさらに備える［Ｃ１］に記載の方法。
［Ｃ２６］
無線通信装置であって、
エアインタフェースを通じて１つ以上のＵＥに１つ以上のデータ信号を送信し、及び、
前記エアインタフェースを通じて１つ以上のｅＮＢと通信するように構成された少なくとも１つのプロセッサと、
前記少なくとも１つのプロセッサに結合されたメモリと、を備える、無線通信装置。
［Ｃ２７］
前記少なくとも１つのプロセッサは、少なくとも部分的に前記エアインタフェースを通じて前記１つ以上のｅＮＢと１つ以上の干渉管理メッセージを通信することによって前記１つ以上のｅＮＢと通信する［Ｃ２６］に記載の無線通信装置。
［Ｃ２８］
前記１つ以上の干渉管理メッセージは、ブランキング要求を含む［Ｃ２７］に記載の無線通信装置。
［Ｃ２９］
前記１つ以上の干渉管理メッセージは、前記１つ以上のｅＮＢによってブランキングされた一組のリソースの指示を含む［Ｃ２７］に記載の無線通信装置。
［Ｃ３０］
前記少なくとも１つのプロセッサは、前記１つ以上のｅＮＢに関する１つ以上のパラメータに少なくとも部分的に基づいて前記１つ以上のｅＮＢと前記１つ以上の干渉管理メッセージをやり取りすることを決定するようにさらに構成される［Ｃ２７］に記載の無線通信装置。
［Ｃ３１］
前記少なくとも１つのプロセッサは、前記１つ以上の干渉管理メッセージに少なくとも部分的に基づいて一組のブランキングされたリソースでの送信をブランキングするようにさらに構成される［Ｃ２７］に記載の無線通信装置。
［Ｃ３２］
前記少なくとも１つのプロセッサは、前記１つ以上のｅＮＢにブランキングされたリソースの前記組の指示を通信するようにさらに構成される［Ｃ３１］に記載の無線通信装置。
［Ｃ３３］
前記１つ以上の干渉管理メッセージは、異種のＵＥのバッファレベル、前記１つ以上のｅＮＢの割り当てられた優先度、又は１つ以上の干渉パラメータを含み、前記少なくとも１つのプロセッサは、前記異種のＵＥの前記バッファレベル、前記１つ以上のｅＮＢの前記割り当てられた優先度、又は前記１つ以上の干渉パラメータに少なくとも部分的に基づいてブランキングされたリソースの前記組を決定するようにさらに構成される［Ｃ３２］に記載の無線通信装置。
［Ｃ３４］
前記少なくとも１つのプロセッサは、前記異種のＵＥの前記バッファレベル、前記１つ以上のｅＮＢの前記割り当てられた優先度、又は前記１つ以上の干渉パラメータに少なくとも部分的に基づいて１つ以上の異種のｅＮＢに関するブランキングのための異種の一組のブランキングされたリソースを決定するようにさらに構成される［Ｃ３３］に記載の無線通信装置。
［Ｃ３５］
前記少なくとも１つのプロセッサは、前記１つ以上のｅＮＢの共配置されたＵＥと通信することによって前記１つ以上のｅＮＢと通信する［Ｃ２６］に記載の無線通信装置。
［Ｃ３６］
前記少なくとも１つのプロセッサは、前記共配置されたＵＥからリソース割り当て要求を受信するようにさらに構成される［Ｃ３５］に記載の無線通信装置。
［Ｃ３７］
前記少なくとも１つのプロセッサは、前記無線通信装置と共配置されるＵＥを用いて前記１つ以上のｅＮＢと通信する［Ｃ２６］に記載の無線通信装置。
［Ｃ３８］
前記少なくとも１つのプロセッサは、前記無線通信装置と共配置される前記ＵＥを用いて前記１つ以上のｅＮＢにリソース割り当て要求を通信する［Ｃ３７］に記載の無線通信装置。
［Ｃ３９］
前記少なくとも１つのプロセッサは、少なくとも部分的に、前記エアインタフェースを通じて、前記１つ以上のＵＥに関するバッファレベル、前記無線通信装置に関する割り当てられた優先度、又は１つ以上の異種のｅＮＢからの干渉に関する１つ以上のパラメータを前記１つ以上のｅＮＢに通信することによって前記１つ以上のｅＮＢと通信する［Ｃ２６］に記載の無線通信装置。
［Ｃ４０］
前記１つ以上のデータ信号は、前記１つ以上のｅＮＢと通信することに関する測定ギャップ、前記少なくとも１つのプロセッサが前記１つ以上のｅＮＢと通信する１つ以上の期間にわたって不連続受信モードに入るためのコマンド、又は前記少なくとも１つのプロセッサが前記１つ以上のｅＮＢと通信する期間又は時間間隔に関する１つ以上のパラメータを含む［Ｃ２６］に記載の無線通信装置。
［Ｃ４１］
前記少なくとも１つのプロセッサは、前記１つ以上のｅＮＢと通信する前のある期間にわたって前記１つ以上のＵＥに前記１つ以上のデータ信号を送信するための送信電力をフェージングするようにさらに構成される［Ｃ２６］に記載の無線通信装置。
［Ｃ４２］
前記１つ以上のデータ信号は、１つ以上の無線リンク失敗タイマを含み、前記少なくとも１つのプロセッサは、前記１つ以上のｅＮＢと通信する前に前記１つ以上のＵＥに前記１つ以上の無線リンク失敗タイマを送信する［Ｃ２６］に記載の無線通信装置。
［Ｃ４３］
前記少なくとも１つのプロセッサは、有線バックホールリンクをさらに通じて前記１つ以上のｅＮＢと通信するようにさらに構成される［Ｃ２６］に記載の無線通信装置。
［Ｃ４４］
装置であって、
１つ以上のｅＮＢのためのメッセージを生成するための手段と、
エアインタフェースを通じて前記１つ以上のｅＮＢに前記メッセージを通信し及び前記エアインタフェースを通じて１つ以上のＵＥに１つ以上の異種のメッセージを通信するための手段と、を備える、装置。
［Ｃ４５］
前記メッセージは、１つ以上の干渉管理メッセージを含む［Ｃ４４］に記載の装置。
［Ｃ４６］
前記１つ以上の干渉管理メッセージは、ブランキング要求又は前記１つ以上のｅＮＢによってブランキングされた一組のリソースの指示を備える［Ｃ４５］に記載の装置。
［Ｃ４７］
前記１つ以上のｅＮＢに関する１つのパラメータに少なくとも部分的に基づいて前記１つ以上のｅＮＢに前記１つ以上の干渉管理メッセージを通信することを決定するための手段をさらに備える［Ｃ４５］に記載の装置。
［Ｃ４８］
前記１つ以上のｅＮＢに関する前記１つ以上のパラメータは、前記１つ以上のｅＮＢの識別子、前記１つ以上のｅＮＢの割り当てられた優先度、前記１つ以上のｅＮＢのタイプ、又は前記１つ以上のｅＮＢに対する通信負荷を含み、前記１つ以上の干渉管理メッセージは、リソース割り当て要求を含む［Ｃ４７］に記載の装置。
［Ｃ４９］
前記１つ以上のｅＮＢに前記メッセージに通信するための前記手段は、前記エアインタフェースを通じて前記１つ以上のｅＮＢからブランキング要求をさらに受信する［Ｃ４５］に記載の装置。
［Ｃ５０］
前記１つ以上のｅＮＢに前記メッセージを通信するための前記手段は、前記１つ以上のｅＮＢから受信された１つ以上の異種の干渉管理メッセージに少なくとも部分的に基づいて一組のブランキングされたリソースでの送信をブランキングする［Ｃ４５］に記載の装置。
［Ｃ５１］
前記１つ以上の異種の干渉管理メッセージに応答してブランキングされたリソースの前記組の指示を生成するための手段をさらに備え、前記１つ以上の干渉管理メッセージは、ブランキングされたリソースの前記組の前記指示を含む［Ｃ５０］に記載の装置。
［Ｃ５２］
異種のＵＥのバッファレベルに少なくとも部分的に基づいてブランキングされたリソースの前記組を決定するための手段をさらに備え、前記１つ以上のｅＮＢから受信された前記１つ以上の異種の干渉管理メッセージは、前記異種のＵＥの前記バッファレベルを含む［Ｃ５１］に記載の装置。
［Ｃ５３］
前記１つ以上のｅＮＢの割り当てられた優先度に少なくとも部分的に基づいてブランキングされたリソースの前記組を決定するための手段をさらに備え、前記１つ以上のｅＮＢから受信された前記１つ以上の異種の干渉管理メッセージは、前記１つ以上のｅＮＢの前記割り当てられた優先度を含む［Ｃ５１］に記載の装置。
［Ｃ５４］
１つ以上の異種のｅＮＢからの前記１つ以上のｅＮＢにおける干渉に関する１つ以上のパラメータに少なくとも部分的に基づいてブランキングされたリソースの前記組を決定するための手段をさらに備え、前記１つ以上のｅＮＢから受信された前記１つ以上の異種の干渉管理メッセージは、前記干渉に関する前記１つ以上のパラメータを含む［Ｃ５１］に記載の装置。
［Ｃ５５］
前記１つ以上の干渉管理メッセージは、前記１つ以上のｅＮＢの識別子、タイプ、又は通信負荷を備える［Ｃ４５］に記載の装置。
［Ｃ５６］
前記１つ以上のｅＮＢに前記メッセージを通信するための前記手段は、前記１つ以上のｅＮＢにおいて共配置されたＵＥから異種のメッセージをさらに受信する［Ｃ４４］に記載の装置。
［Ｃ５７］
前記異種のメッセージは、リソース割り当てである［Ｃ５６］に記載の装置。
［Ｃ５８］
前記１つ以上のｅＮＢに前記メッセージを通信するための前記手段は、前記装置において共配置されたＵＥを含む［Ｃ４４］に記載の装置。
［Ｃ５９］
前記１つ以上の干渉管理メッセージは、リソース割り当て要求である［Ｃ５８］に記載の装置。
［Ｃ６０］
前記メッセージは、前記１つ以上のＵＥと通信することに関するバッファレベルを備える［Ｃ４４］に記載の装置。
［Ｃ６１］
前記メッセージは、１つ以上の異種のｅＮＢから前記装置への干渉に関する１つ以上のパラメータを備える［Ｃ４４］に記載の装置。
［Ｃ６２］
前記メッセージは、前記装置に割り当てられた優先度を備える［Ｃ４４］に記載の装置。
［Ｃ６３］
前記１つ以上の異種のメッセージは、前記１つ以上のｅＮＢと通信することに対応する測定ギャップの指示、不連続受信モードに入るためのコマンド、１つ以上の無線リンク失敗タイマ、又は、通信するための前記手段が前記１つ以上のｅＮＢに前記メッセージを通信する期間又は時間間隔に関する１つ以上のパラメータを備える［Ｃ４４］に記載の装置。
［Ｃ６４］
通信するための前記手段が前記１つ以上のｅＮＢに前記メッセージを通信する前に前記１つ以上のＵＥへの送信電力をフェージングするための手段をさらに備える［Ｃ４４］に記載の装置。
［Ｃ６５］
有線バックホールリンクを通じて前記１つ以上のｅＮＢにデータを送信するための手段をさらに備える［Ｃ４４］に記載の装置。
［Ｃ６６］
コンピュータプログラム製品であって、
エアインタフェースを通じて１つ以上のＵＥに１つ以上のデータ信号を送信することを少なくとも１つのコンピュータに行わせるための符号と、
前記エアインタフェースを通じて１つ以上のｅＮＢとメッセージを通信することを前記少なくとも１つのコンピュータに行わせるための符号と、を備えるコンピュータによって読み取り可能な媒体、を備える、コンピュータプログラム製品。
［Ｃ６７］
前記メッセージは、１つ以上の干渉管理メッセージを備える［Ｃ６６］に記載のコンピュータプログラム製品。
［Ｃ６８］
前記１つ以上の干渉管理メッセージは、ブランキング要求を含む［Ｃ６７］に記載のコンピュータプログラム製品。
［Ｃ６９］
前記１つ以上の干渉管理メッセージは、前記１つ以上のｅＮＢによってブランキングされた一組のリソースの指示を含む［Ｃ６７］に記載のコンピュータプログラム製品。
［Ｃ７０］
前記コンピュータによって読み取り可能な媒体は、前記１つ以上のｅＮＢに関する１つ以上のパラメータに少なくとも部分的に基づいて前記１つ以上のｅＮＢと前記１つ以上の干渉管理メッセージをやり取りすることを決定することを前記少なくとも１つのコンピュータに行わせるための符号をさらに備える［Ｃ６７］に記載のコンピュータプログラム製品。
［Ｃ７１］
前記コンピュータによって読み取り可能な媒体は、前記１つ以上の干渉管理メッセージに少なくとも部分的に基づいて一組のブランキングされたリソースでの送信をブランキングすることを前記少なくとも１つのコンピュータに行わせるための符号をさらに備える［Ｃ６７］に記載のコンピュータプログラム製品。
［Ｃ７２］
前記コンピュータによって読み取り可能な媒体は、前記１つ以上のｅＮＢにブランキングされたリソースの前記組の指示を通信することを前記少なくとも１つのコンピュータに行わせるための符号をさらに備える［Ｃ７１］に記載のコンピュータプログラム製品。
［Ｃ７３］
前記１つ以上の干渉管理メッセージは、前記１つ以上のｅＮＢと通信する異種のＵＥのバッファレベル、前記１つ以上のｅＮＢの割り当てられた優先度、又は前記１つ以上のｅＮＢに関する１つ以上の干渉パラメータを含み、前記コンピュータによって読み取り可能な媒体は、前記異種のＵＥの前記バッファレベル、前記１つ以上のｅＮＢの前記割り当てられた優先度、又は前記１つ以上の干渉パラメータに少なくとも部分的に基づいてブランキングされたリソースの前記組を決定することを前記少なくとも１つのコンピュータに行わせるための符号をさらに備える［Ｃ７２］に記載のコンピュータプログラム製品。
［Ｃ７４］
前記コンピュータによって読み取り可能な媒体は、前記異種のＵＥの前記バッファレベル、前記１つ以上のｅＮＢの前記割り当てられた優先度、又は前記１つ以上の干渉パラメータに少なくとも部分的に基づいて１つ以上の異種のｅＮＢに関するブランキングのための異種の一組のブランキングされたリソースを決定することを前記少なくとも１つのコンピュータに行わせるための符号をさらに備える［Ｃ７３］に記載のコンピュータプログラム製品。
［Ｃ７５］
前記１つ以上のｅＮＢと通信することを前記少なくとも１つのコンピュータに行わせるための前記符号は、前記１つ以上のｅＮＢの共配置されたＵＥと通信する［Ｃ６６］に記載のコンピュータプログラム製品。
［Ｃ７６］
前記コンピュータによって読み取り可能な媒体は、前記共配置されたＵＥからリソース割り当て要求を受信することを前記少なくとも１つのコンピュータに行わせるための符号をさらに備える［Ｃ７５］に記載のコンピュータプログラム製品。
［Ｃ７７］
前記１つ以上のｅＮＢと通信することを前記少なくとも１つのコンピュータに行わせるための前記符号は、共配置されたＵＥを用いて前記１つ以上のｅＮＢと通信する［Ｃ６６］に記載のコンピュータプログラム製品。
［Ｃ７８］
前記メッセージは、リソース割り当て要求である［Ｃ７７］に記載のコンピュータプログラム製品。
［Ｃ７９］
前記メッセージは、前記１つ以上のＵＥに関するバッファレベル、前記１つ以上のｅＮＢに関する割り当てられた優先度、又は１つ以上の異種のｅＮＢからの干渉に関する１つ以上のパラメータを含む［Ｃ６６］に記載のコンピュータプログラム製品。
［Ｃ８０］
前記１つ以上のデータ信号は、前記１つ以上のｅＮＢと通信することに関する測定ギャップ、通信することを前記少なくとも１つのコンピュータに行わせるための前記符号が前記１つ以上のｅＮＢと前記メッセージを通信する１つ以上の期間にわたって不連続受信モードに入るためのコマンド、１つ以上の無線リンク失敗タイマ、又は、通信することを前記少なくとも１つのコンピュータに行わせるための前記符号が前記１つ以上のｅＮＢと前記メッセージを通信する期間又は時間間隔に関する１つ以上のパラメータを含む［Ｃ６６］に記載のコンピュータプログラム製品。
［Ｃ８１］
前記コンピュータによって読み取り可能な媒体は、前記１つ以上のｅＮＢと通信する前のある期間にわたって前記１つ以上のＵＥに前記１つ以上のデータ信号を送信するための送信電力をフェージングすることを前記少なくとも１つのコンピュータに行わせるための符号をさらに備える［Ｃ６６］に記載のコンピュータプログラム製品。
［Ｃ８２］
前記コンピュータによって読み取り可能な媒体は、有線バックホールリンクをさらに通じて前記１つ以上のｅＮＢと通信することを前記少なくとも１つのコンピュータに行わせるための符号をさらに備える［Ｃ６６］に記載のコンピュータプログラム製品。
［Ｃ８３］
装置であって、
１つ以上のｅＮＢのためのメッセージを生成するアクセスポイント間メッセージ生成コンポーネントと、
エアインタフェースを通じて前記１つ以上のｅＮＢに前記メッセージを通信し及び前記エアインタフェースを通じて１つ以上のＵＥに１つ以上の異種のメッセージを通信するエアインタフェース通信コンポーネントと、を備える、装置。
［Ｃ８４］
前記メッセージは、１つ以上の干渉管理メッセージを含む［Ｃ８３］に記載の装置。
［Ｃ８５］
前記１つ以上の干渉管理メッセージは、ブランキング要求又は前記１つ以上のｅＮＢによってブランキングされた一組のリソースの指示を備える［Ｃ８４］に記載の装置。
［Ｃ８６］
前記１つ以上のｅＮＢに関する１つ以上のパラメータ及び前記装置に関する１つ以上の同様のパラメータに少なくとも部分的に基づいて前記１つ以上のｅＮＢに前記１つ以上の干渉管理メッセージを通信することを決定するパラメータ測定コンポーネントをさらに備える［Ｃ８４］に記載の装置。
［Ｃ８７］
前記１つ以上のｅＮＢに関する前記１つ以上のパラメータは、前記１つ以上のｅＮＢの識別子、前記１つ以上のｅＮＢの割り当てられた優先度、前記１つ以上のｅＮＢのタイプ、又は前記１つ以上のｅＮＢに対する通信負荷を含み、前記１つ以上の干渉管理メッセージは、リソース割り当て要求を含む［Ｃ８６］に記載の装置。
［Ｃ８８］
前記エアインタフェース通信コンポーネントは、前記エアインタフェースを通じて前記１つ以上のｅＮＢからブランキング要求をさらに受信する［Ｃ８４］に記載の装置。
［Ｃ８９］
前記エアインタフェース通信コンポーネントは、前記１つ以上のｅＮＢから受信された１つ以上の異種の干渉管理メッセージに少なくとも部分的に基づいて一組のブランキングされたリソースでの送信をブランキングする［Ｃ８４］に記載の装置。
［Ｃ９０］
前記１つ以上の異種の干渉管理メッセージに応答してブランキングされたリソースの前記組の指示を生成するリソーススケジューリングコンポーネントをさらに備え、前記１つ以上の干渉管理メッセージは、ブランキングされたリソースの前記組の前記指示を含む［Ｃ８９］に記載の装置。
［Ｃ９１］
異種のＵＥのバッファレベル、前記１つ以上のｅＮＢの割り当てられた優先度、又は前記１つ以上のｅＮＢでの干渉に関する１つ以上のパラメータに少なくとも部分的に基づいてブランキングされたリソースの前記組を決定するリソース割り当てコンポーネントをさらに備え、前記１つ以上のｅＮＢから受信された前記１つ以上の異種の干渉管理メッセージは、前記異種のＵＥの前記バッファレベル、前記１つ以上のｅＮＢの前記割り当てられた優先度、又は前記１つ以上のｅＮＢでの前記干渉に関する前記１つ以上のパラメータを含む［Ｃ９０］に記載の装置。
［Ｃ９２］
前記１つ以上の干渉管理メッセージは、前記１つ以上のｅＮＢの識別子、タイプ、割り当てられた優先度、又は通信負荷を備える［Ｃ８４］に記載の装置。
［Ｃ９３］
前記エアインタフェース通信コンポーネントは、前記１つ以上のｅＮＢにおいて共配置されたＵＥから異種のメッセージをさらに受信する［Ｃ８３］に記載の装置。
［Ｃ９４］
前記エアインタフェース通信コンポーネントは、前記装置において共配置されたＵＥ内に含められる［Ｃ８３］に記載の装置。
［Ｃ９５］
前記メッセージは、前記１つ以上のＵＥと通信することに関するバッファレベルを備える［Ｃ８３］に記載の装置。
［Ｃ９６］
前記メッセージは、前記装置への１つ以上の異種のｅＮＢからの干渉に関する１つ以上のパラメータを備える［Ｃ８３］に記載の装置。
［Ｃ９７］
前記メッセージは、前記装置に割り当てられた優先度を備える［Ｃ８３］に記載の装置。
［Ｃ９８］
前記１つ以上の異種のメッセージは、前記１つ以上のｅＮＢと通信することに対応する測定ギャップ、不連続受信モードに入るためのコマンド、１つ以上の無線リンク失敗タイマ、又は、前記エアインタフェース通信コンポーネントが前記１つ以上のｅＮＢに前記メッセージを通信する期間又は時間間隔に関する１つ以上のパラメータを備える［Ｃ８３］に記載の装置。
［Ｃ９９］
前記エアインタフェース通信コンポーネントが前記１つ以上のｅＮＢに前記メッセージを通信する前のある期間にわたって前記１つ以上のＵＥへの送信電力を低減させる電力フェージングコンポーネントをさらに備える［Ｃ８３］に記載の装置。
［Ｃ１００］
有線バックホールリンクを通じて前記１つ以上のｅＮＢと通信するバックホール通信コンポーネントをさらに備える［Ｃ８３］に記載の装置。
【外国語明細書】
2014195301000001.pdf